(57)【要約】【課題】表示画像の中から所望の画像調整部位を選択可能で、画像全体の階調特性を確認してから、選択した調整部位の画像を調整することができる画像表示装置、プロジェクタ、画像表示装置の画像調整方法を提供すること。【解決手段】画像信号処理部１６は、画像調整を行う操作がなされると、画像を静止させるとともに、画像上の所望の画像部位を選択するための選択カーソル５１を表示部に表示させる。さらに画像信号処理部１６は、選択カーソル５１による画像部位を選択する操作がなされると、選択された画像部位の階調に対応する調整ポイントを点滅、または調整ポイントの色調を変化させた特性確認画面を画像信号に重畳させることから、画像全体の階調特性における画像部位の位置がグラフに明示される。【選択図】図１
2010204673.tif 000002
【特許請求の範囲】
【請求項１】
画像信号により表される画像を表示部に表示する画像表示装置であって、
前記画像上の所望の画像部位を選択するための選択カーソル、および前記画像の初期設定における階調特性の入力および出力階調レベルの相関関係を表すグラフを含む特性確認画面、並びに前記画像の階調特性における複数の調整ポイントごとの階調を調整するための階調調整画面を前記画像信号に重畳させるＯＳＤ部と、
少なくとも前記画像の階調特性の調整を開始する操作、および前記選択カーソルによる前記画像部位の選択操作、並びに前記選択された画像部位を決定する操作がなされる操作部と、
前記画像信号に前記階調特性の調整を含む画像調整を施し、前記操作部に前記画像調整を行う操作がなされると、前記画像を静止させるとともに、前記ＯＳＤ部により前記選択カーソルを前記表示部に表示させる画像信号処理部と、を備え、
前記ＯＳＤ部は、前記操作部に前記選択カーソルによる前記画像部位を選択する操作がなされると、前記選択された画像部位の階調に対応する前記調整ポイントを点滅、または前記調整ポイントの色調を変化させた前記特性確認画面を前記画像信号に重畳させ、
さらに前記操作部に前記選択された画像部位を決定する操作がなされると、前記選択された画像部位の階調に対応する前記調整ポイントの階調調整画面を前記画像信号に重畳させることを特徴とする画像表示装置。
【請求項２】
前記画像信号処理部は、
前記表示部に固有の階調特性を少なくとも設置環境に適したものとするためにあらかじめ定められた複数の基本階調特性のうち、いずれか１つの基本階調特性に補正するためのガンマ補正部と、
前記基本階調特性における入力レベルに応じて設けられた複数の調整ポイントごとの出力階調値を調整する階調ポイント調整部と、を備え、
前記画像信号処理部による前記画像信号への階調調整は、前記ガンマ補正部における階調補正と、前記階調ポイント補正部における階調調整とを合成した階調特性により行われ、
前記選択された調整ポイントの階調調整画面において、前記出力階調値の調整がなされると、前記階調ポイント調整部は、前記調整ポイントの出力階調値を調整内容に応じて変化させることを特徴とする請求項１に記載の画像表示装置。
【請求項３】
前記選択カーソルは、前記表示部の画素における３画素以上の複数の連続する画素を選択する大きさを持つ画素選択部を含んで構成され、
前記選択された画像部位に対応する前記階調特性の調整ポイントは、前記画素選択部により選択された複数の画素ごとの階調値の平均値、または、前記画素選択部により選択された複数の画素ごとの階調値における最大および最小の階調値を除いた平均値に最も近い入力階調レベルの調整ポイントが選択されることを特徴とする請求項１または２に記載の画像表示装置。
【請求項４】
前記画素選択部は、縦横各３画素からなる方形状の合計９画素を選択する大きさを有することを特徴とする請求項１〜３のいずれか一項に記載の画像表示装置。
【請求項５】
前記選択カーソルは、前記画素選択部の外周に、前記画素選択部の外形状の一部を一回り大きくした形状を含む環状部をさらに備え、
前記環状部は、常に前記画素選択部との相対位置を保ち、前記画素選択部とともに前記静止画像上を移動することを特徴とする請求項１〜４のいずれか一項に記載の画像表示装置。
【請求項６】
前記選択カーソルによる前記画像部位の選択操作において、前記画像選択部の位置は、前記画像選択部の全貌が前記静止画像からはみ出さないように前記画像信号処理部により制御され、前記画像選択部が前記静止画像の縁に達した場合、前記選択カーソルは、前記静止画像からはみ出した前記環状部の一部の画像が欠けた状態で表示されることを特徴とする請求項１〜５のいずれか一項に記載の画像表示装置。
【請求項７】
前記選択カーソルの色調は、白または黒のいずれかに設定され、
前記ＯＳＤ部は、前記選択カーソルが選択している前記画像部位の色調と、白または黒のいずれかの色調との、コントラストが高い方の色調に前記選択カーソルの色調を調整することを特徴とする請求項１〜６のいずれか一項に記載の画像表示装置。
【請求項８】
画像信号により表される画像を表示する表示部と、前記画像上の所望の画像部位を選択するための選択カーソル、および前記画像の初期設定における階調特性の入力および出力階調レベルの相関関係を表すグラフを含む特性確認画面、並びに前記画像の階調特性における複数の調整ポイントごとの階調を調整するための階調調整画面を前記画像信号に重畳させるＯＳＤ部と、少なくとも前記画像の階調特性の調整を開始する操作、および前記選択カーソルによる前記画像部位の選択操作、並びに前記選択された画像部位を決定する操作がなされる操作部と、前記画像信号に前記階調特性の調整を含む画像調整を施す画像信号処理部と、を備えた画像表示装置の画像調整方法であって、
前記画像調整を行う操作がなされると、前記画像を静止させるとともに、前記選択カーソルを前記表示部に表示させる工程と、
前記選択カーソルによる前記画像部位を選択する操作がなされると、前記選択された画像部位の階調に対応する前記調整ポイントを点滅、または前記調整ポイントの色調を変化させた前記特性確認画面を前記画像信号に重畳させる工程と、
前記選択された画像部位を決定する操作がなされると、前記選択された画像部位の階調に対応する前記調整ポイントの階調調整画面を前記画像信号に重畳させる工程と、を含むことを特徴とする画像表示装置の画像調整方法。
【発明の詳細な説明】
【技術分野】
【０００１】
本発明は、画像信号にて表される画像を表示する画像表示装置、プロジェクタ、当該画像表示装置の画像調整方法に関する。
【背景技術】
【０００２】
画像信号にて表される画像の階調特性を、投写される画像の内容や、投写環境に応じて、切替え可能な画像表示装置が知られている。例えば、特許文献１のプロジェクタは、「ダイナミック」「ナチュラル」「ソフト」という３種類の画質調整の選択肢が設けられており、それぞれの調整項目に対応した階調特性データであるγ値を記憶している。プロジェクタは、選択された調整項目に応じたγ値を設定し、画像信号に階調補正（以下、「γ補正」ともいう）を施す。
このような一般的なプロジェクタにおいて、選択された調整項目に応じてγ補正がなされた画像は、選択内容を決定する操作（以降、「決定操作」という）がなされた後に、スクリーンに投写される。
【０００３】
また、例えば、人物の写真を表す画像において、人物を際立たせるために背景部分の階調値を調整したい場合などのように、表示画像における特定の画像部位を選択し、当該部位への画像調整を行いたいというニーズがあった。さらに専門知識のある高度なユーザーからは、表示画像の階調特性をグラフで確認した上で、画像に適した階調特性をしたいというニーズもあった。ちなみに、このような部分画像に画像調整を行うためには、階調特性データであるγ値自体の設定を見直す必要が有った。
【先行技術文献】
【特許文献】
【０００４】
【特許文献１】特開２００５−９９６２０号公報
【発明の概要】
【発明が解決しようとする課題】
【０００５】
しかしながら、従来の画像表示装置では、あらかじめ定められた少数の調整項目からの選択という画像調整の裁量しかなかった。
よって、表示されている画像の中で、使用者が画像調整を行いたいと考えている画像部位が有ったとしても、当該部位を選択すること自体が困難であり、また、仮に、何らかの手段により画像調整を行いたい画像部位を選択できたとしても、当該画像部位の階調値に対応する階調特性のポイントにおける出力階調レベルを調整することや、画像の階調特性を示したグラフを確認することは困難であった。
このように従来の画像表示装置では、表示画像における特定の画像調整部位を選択すること、および階調特性を示すグラフを確認してから、当該画像部位をポイントで画像調整することは困難であるという問題点が有った。
【０００６】
上記課題を解決するために、本発明では、表示画像の中から所望の画像調整部位を選択可能で、画像全体の階調特性を確認してから、選択した調整部位の画像を調整することができる画像表示装置、プロジェクタ、画像表示装置の画像調整方法を提供することを目的とする。
【課題を解決するための手段】
【０００７】
前記目的を達成するために、本発明の画像表示装置によれば、画像信号により表される画像を表示部に表示する画像表示装置であって、画像上の所望の画像部位を選択するための選択カーソル、および画像の初期設定における階調特性の入力および出力階調レベルの相関関係を表すグラフを含む特性確認画面、並びに画像の階調特性における複数の調整ポイントごとの階調を調整するための階調調整画面を画像信号に重畳させるＯＳＤ部と、少なくとも画像の階調特性の調整を開始する操作、および選択カーソルによる画像部位の選択操作、並びに選択された画像部位を決定する操作がなされる操作部と、画像信号に階調特性の調整を含む画像調整を施し、操作部に画像調整を行う操作がなされると、画像を静止させるとともに、ＯＳＤ部により選択カーソルを表示部に表示させる画像信号処理部と、を備え、ＯＳＤ部は、操作部に選択カーソルによる画像部位を選択する操作がなされると、選択された画像部位の階調に対応する調整ポイントを点滅、または調整ポイントの色調を変化させた特性確認画面を画像信号に重畳させ、さらに操作部に選択された画像部位を決定する操作がなされると、選択された画像部位の階調に対応する調整ポイントの階調調整画面を画像信号に重畳させることを特徴とする。
【０００８】
この構成によれば、画像信号処理部は、画像調整を行う操作がなされると、画像を静止させるとともに、画像上の所望の画像部位を選択するための選択カーソルを表示部に表示させる。よって、画像が動画であると、画像が変化するため画像部位を選択することが困難であるが、画像を静止させることにより、選択がし易い。さらに静止画像の中から、所望の画像部位を選択カーソルにより選択することができる。
ＯＳＤ部は、操作部に選択カーソルによる画像部位を選択する操作がなされると、選択された画像部位の階調に対応する調整ポイントを点滅、または調整ポイントの色調を変化させた特性確認画面を画像信号に重畳させることから、画像全体の階調特性における画像部位の位置がグラフに明示される。よって、画像全体の階調特性における調整ポイントを、階調調整を行う前にグラフにて確認することができる。
さらにＯＳＤ部は、操作部に選択された画像部位を決定する操作がなされると、選択された画像部位の階調に対応する調整ポイントの階調調整画面を画像信号に重畳させることから、階調調整画面により、選択された画像部位の階調調整を行うことができる。
従って、本発明の画像表示装置は、表示画像の中から所望の調整部位を選択可能で、画像全体の階調特性を確認してから、選択した調整部位の画像を調整することができる。
【０００９】
本発明に係る画像表示装置によれば、画像信号処理部は、表示部に固有の階調特性を少なくとも設置環境に適したものとするためにあらかじめ定められた複数の基本階調特性のうち、いずれか１つの基本階調特性に補正するためのガンマ補正部と、基本階調特性における入力レベルに応じて設けられた複数の調整ポイントごとの出力階調値を調整する階調ポイント調整部と、を備え、画像信号処理部による画像信号への階調調整は、ガンマ補正部における階調補正と、階調ポイント補正部における階調調整とを合成した階調特性により行われ、選択された調整ポイントの階調調整画面において、出力階調値の調整がなされると、階調ポイント調整部は、調整ポイントの出力階調値を調整内容に応じて変化させることが好ましい。
【００１０】
画像信号処理部は、表示部に固有の階調特性を少なくとも設置環境に適したものとするためにあらかじめ定められた複数の基本階調特性のうち、いずれか１つの基本階調特性に補正するためのガンマ補正部と、基本階調特性における入力レベルに応じて設けられた複数の調整ポイントごとの出力階調値を調整する階調ポイント調整部と、を備えることから、それぞれの機能が独立した専用の構成部位で行われる。よって、それぞれの構成を専用化できるため、シンプルな構成とすることができる。
さらに画像信号処理部としての画像信号への階調調整は、ガンマ補正部における階調補正と、階調ポイント補正部における階調調整とを合成した階調特性により行われることから、２つの調整部位によって、高度な階調調整を行うことができる。
また、選択された調整ポイントの階調調整画面において、出力階調値の調整がなされると、階調ポイント調整部は、調整ポイントの出力階調値を調整内容に応じて変化させることから、階調調整画面の背面の画像は、リアルタイムに調整内容を反映した画像に更新される。
従って、本発明の画像表示装置によれば、シンプルな階調調整構成により、高度な階調調整が可能で、リアルタイムに調整内容を反映した画像を確認することができる。
【００１１】
本発明に係る画像表示装置によれば、選択カーソルは、表示部の画素における３画素以上の複数の連続する画素を選択する大きさを持つ画素選択部を含んで構成され、選択された画像部位に対応する階調特性の調整ポイントは、画素選択部により選択された複数の画素ごとの階調値の平均値、または、画素選択部により選択された複数の画素ごとの階調値における最大および最小の階調値を除いた平均値に最も近い入力階調レベルの調整ポイントが選択されることが好ましい。
【００１２】
この構成によれば、選択カーソルは、表示部の画素における３画素以上の複数の連続する画素を選択する大きさを持つ画素選択部を含んで構成されることから、幅を持った複数の画素における画素データを基にして、使用者が意図した選択部位を判断することができる。
さらに選択された画像部位に対応する階調特性の調整ポイントは、画素選択部により選択された複数の画素ごとの階調値の平均値、または、画素選択部により選択された複数の画素ごとの階調値における最大および最小の階調値を除いた平均値に最も近い入力階調レベルの調整ポイントが選択されることから、ノイズを含んだ画素データによる影響を低減して、使用者が意図した画像部位に対応する調整ポイントを選択することができる。
従って、本発明の画像表示装置は、投写画像の中から使用者の意図する調整部位を、正確に選択することができる。
【００１３】
本発明に係る画像表示装置によれば、画素選択部は、縦横各３画素からなる方形状の合計９画素を選択する大きさを有することが好ましい。
【００１４】
この構成によれば、画素選択部は、縦横各３画素からなる方形状の合計９画素を選択する大きさを有することから、最大および最小の階調値の画素を除いて平均値をとる場合であっても、７画素の有効画素データが得られる。また、全体画像の中において適度な大きさとなるため視認し易く、さらに方形状であるため、画像部位を選択し易い。
従って、本発明の画像表示装置は、投写画像の中から使用者の意図する調整部位を、容易かつ正確に選択することができる。
【００１５】
本発明に係る画像表示装置によれば、選択カーソルは、画素選択部の外周に、画素選択部の外形状の一部を一回り大きくした形状を含む環状部をさらに備え、環状部は、常に画素選択部との相対位置を保ち、画素選択部とともに静止画像上を移動することが好ましい。
【００１６】
この構成によれば、選択カーソルは、画素選択部の外周に、画素選択部の外形状の一部を一回り大きくした形状を含む環状部をさらに備え、環状部は、常に画素選択部との相対位置を保ち、画素選択部とともに静止画像上を移動することから、選択カーソルは、画素選択部より一回り大きい環状部を有した特徴的な形態となり、画像上により大きくはっきりと表示される。
よって、はっきりと表示される選択カーソルにより、所望の画像部位を選択し易い。
従って、本発明の画像表示装置によれば、画像上にはっきりと表示される選択カーソルにより、所望の画像部位を容易に選択することができる。
【００１７】
本発明に係る画像表示装置によれば、選択カーソルによる画像部位の選択操作において、画像選択部の位置は、画像選択部の全貌が静止画像からはみ出さないように画像信号処理部により制御され、画像選択部が静止画像の縁に達した場合、選択カーソルは、静止画像からはみ出した環状部の一部の画像が欠けた状態で表示されることが好ましい。
【００１８】
この構成によれば、画像選択部の位置は、画像選択部の全貌が静止画像からはみ出さないように画像信号処理部により制御され、画像選択部が静止画像の縁に達した場合、選択カーソルは、静止画像からはみ出した環状部の一部の画像が欠けた状態で表示されることから、選択カーソルにより、画像の縁の画像部位までの画像を選択することが可能であり、また、画像の縁を選択した場合であっても、選択カーソルを視認することができる。
従って、本発明の画像表示装置は、選択カーソルにより、全ての有効画像領域における所望の画像部位を選択することができる。
【００１９】
本発明に係る画像表示装置によれば、選択カーソルの色調は、白または黒のいずれかに設定され、ＯＳＤ部は、選択カーソルが選択している画像部位の色調と、白または黒のいずれかの色調との、コントラストが高い方の色調に選択カーソルの色調を調整することが好ましい。
【００２０】
この構成によれば、ＯＳＤ部は、選択カーソルが選択している画像部位の色調と、白または黒のいずれかの色調との、コントラストが高い方の色調に選択カーソルの色調を調整することから、選択カーソルの色調は、視認し易い色調となるように調整される。
よって、はっきりと表示される選択カーソルにより、所望の画像部位を選択し易い。
従って、本発明の画像表示装置によれば、画像上にはっきりと表示される選択カーソルにより、所望の画像部位を容易に選択することができる。
【００２１】
本発明に係る画像表示装置の画像調整方法によれば、画像信号により表される画像を表示する表示部と、画像上の所望の画像部位を選択するための選択カーソル、および画像の初期設定における階調特性の入力および出力階調レベルの相関関係を表すグラフを含む特性確認画面、並びに画像の階調特性における複数の調整ポイントごとの階調を調整するための階調調整画面を画像信号に重畳させるＯＳＤ部と、少なくとも画像の階調特性の調整を開始する操作、および選択カーソルによる画像部位の選択操作、並びに選択された画像部位を決定する操作がなされる操作部と、画像信号に階調特性の調整を含む画像調整を施す画像信号処理部と、を備えた画像表示装置の画像調整方法であって、画像調整を行う操作がなされると、画像を静止させるとともに、選択カーソルを表示部に表示させる工程と、選択カーソルによる画像部位を選択する操作がなされると、選択された画像部位の階調に対応する調整ポイントを点滅、または調整ポイントの色調を変化させた特性確認画を画像信号に重畳させる工程と、選択された画像部位を決定する操作がなされると、選択された画像部位の階調に対応する調整ポイントの階調調整画面を画像信号に重畳させる工程と、を含むことを特徴とする。
【００２２】
この画像調整方法によれば、画像調整を行う操作がなされると、画像を静止させるとともに、選択カーソルを前記表示部に表示させる工程を含むことから、画像が動画であると、画像が変化するため画像部位を選択することが困難であるが、画像を静止させることにより、選択がし易い。さらに静止画像の中から、所望の画像部位を選択カーソルにより選択することができる。
選択カーソルによる画像部位を選択する操作がなされると、選択された画像部位の階調に対応する調整ポイントを点滅、または調整ポイントの色調を変化させた特性確認画面を画像信号に重畳させる工程を含むことから、画像全体の階調特性における画像部位の位置がグラフに明示される。よって、画像全体の階調特性における調整ポイントを、階調調整を行う前にグラフにて確認することができる。
さらに選択された画像部位を決定する操作がなされると、選択された画像部位の階調に対応する調整ポイントの階調調整画面を前記画像信号に重畳させる工程を含むことから、階調調整画面により、選択された画像部位の階調調整を行うことができる。
従って、本発明の画像表示装置の画像調整方法によれば、表示画像の中から所望の調整部位を選択可能で、画像全体の階調特性を確認してから、選択した調整部位の画像を調整することができる。
【図面の簡単な説明】
【００２３】
【図１】実施形態１におけるプロジェクタの一使用態様図。
【図２】プロジェクタの概略構成図。
【図３】（ａ）階調ポイント調整部の入出力特性の一例を示す図。（ｂ）調整ポイントごとの１ステップあたりの階調量を示した表。
【図４】（ａ）液晶ライトバルブのＶＴ特性の一例を示すグラフ。（ｂ）ガンマ補正部の入出力特性の一例を示すグラフ。
【図５】（ａ）一態様における選択カーソルの拡大図。（ｂ）選択カーソルによる画像部位の選択状態の一態様を示す図。
【図６】分岐画面までの画像調整の流れを示したフローチャート。
【図７】（ａ）選択画面の一態様を示す図。（ｂ）分岐画面の一態様を示す図。
【図８】カーソル調整モードにおける画像調整の流れを示したフローチャート。
【図９】（ａ）特性確認画面の一態様を示す図。（ｂ）階調調整画面の一態様を示す図。
【図１０】（ａ）特性確認画面の一態様を示す図。（ｂ）継続確認画面の一態様を示す図。
【図１１】操作画面が画像に重畳表示されているときの一態様を示した図。
【図１２】グラフ調整モードにおける画像調整の流れを示したフローチャート。
【図１３】（ａ）特性確認画面の一態様を示す図。（ｂ）階調調整画面の一態様を示す図。（ｃ）特性確認画面の一態様を示す図。
【図１４】実施形態２における分岐画面までの画像調整の流れを示したフローチャート。
【図１５】（ａ）選択画面の一態様を示す図。（ｂ）分岐画面の一態様を示す図。
【図１６】カーソル調整モードにおける画像調整の流れを示したフローチャート。
【図１７】（ａ），（ｂ）グラフ調整画面の一態様を示す図。（ｃ）継続確認画面の一態様を示す図。
【図１８】グラフ調整モードにおける画像調整の流れを示したフローチャート。
【図１９】（ａ），（ｂ）グラフ調整画面の一態様を示す図。
【発明を実施するための形態】
【００２４】
以下、添付図面に基づいて、本発明の実施形態を詳細に説明する。
【００２５】
（実施形態１）
《プロジェクタの概要》
図１は、本発明の実施形態１におけるプロジェクタの一使用態様を示した図である。画像表示装置としてのプロジェクタ１００は、パーソナルコンピュータなどの画像信号供給装置２００から供給される画像信号に基づく画像を、スクリーンＳＣに投写している。
プロジェクタ１００は、画像の調整機能として、画像の内容や、投写環境に応じて画像の表現力を高めるため、画像の基本階調特性である基準γ特性に特性のアクセント付けを行う「カラーモード」調整と、あらかじめ記憶されている複数の選択肢の中から基準γ特性を選択する「ガンマ」調整とを含む画像調整機能を有している。
【００２６】
「ガンマ」調整における、基本γ特性の中には、「カスタム」特性が含まれており、「カスタム」特性を選択すると、階調特性を調整ポイントごとにカスタマイズすることが可能なモードに入る。この「カスタム」特性においては、基準γ特性自体、すなわち階調特性自体をカスタマイズすることも可能である。
プロジェクタ１００は、階調特性をカスタマイズするのに必要な、カスタマイズする調整ポイントを定めるための投写画像の中から所望の画像部位を選択する機能、および、選択された調整ポイントである画像部位の階調調整を行うための機能を備えている。
例えば、図１の場合、スクリーンＳＣの投写画像における左下の人物の背景画像部位が、画像部位を選択するための選択カーソル５１により選択されている。さらに選択された画像部位が確定されると、確認ステップなどを経て、当該画像部位の階調を調整するための調整画面が表示される。
【００２７】
また、「ガンマ」調整機能には、選択カーソル５１により所望の画像部位を選択することから調整が始まる「カーソル調整モード」の他に、投写画像全体の階調特性を示すグラフを表示させて、グラフから調整したい階調レベルに応じた調整ポイントを選択して階調調整を行う「グラフ調整モード」もある。「グラフ調整モード」では、選択された調整ポイントの入力階調レベルに対応する画像部位の階調が調整される。
これらの機能および調整モードの選択、および調整操作を含むプロジェクタ１００の操作は、机上に置かれたプロジェクタ１００の上部に設けられている操作部１、またはリモコン２により行われる。
なお、プロジェクタ１００は、机上に設置されることに限定されず、例えば、プロジェクタ１００を天井に設置し、リモコン２によって操作する構成であっても良い。
【００２８】
《プロジェクタの構成》
図２は、本発明のプロジェクタの概略構成図である。ここでは、図２を用いて、「ガンマ」調整などの画像調整機能を実現するためのプロジェクタ１００の概略構成について説明する。
プロジェクタ１００は、光源部としてのランプ３が放射した光を、赤色光、青色光、緑色光の光の３原色成分に分離し、色光ごとに表示部としての各色光用の液晶ライトバルブ５Ｒ，５Ｇ，５Ｂにより画像信号に応じて変調し、再度合成したフルカラーの変調光を投写レンズ７によりスクリーンＳＣに拡大投写する、いわゆる「液晶３板式プロジェクタ」である。液晶ライトバルブ５Ｒ，５Ｇ，５Ｂは、光変調素子であり、それぞれが赤色光、緑色光、青色光用として設けられ、光学部４の構成に含まれている。
【００２９】
プロジェクタ１００は、操作部１、リモコン２、ランプ３、光学部４、投写レンズ７、制御部１０、操作受付け部１１、電源部１２、ランプ駆動部１３、記憶部１４、ＡＤコンバータ１５、画像信号処理部１６、画像信号補正部２５、液晶パネル駆動部２６などから構成されている。
操作部１は、プロジェクタ１００を操作するための複数の操作用ボタンを備えている。複数の操作用ボタンには、プロジェクタ１００を起動およびシャットダウンするための「電源ボタン」や、各種操作メニューを表示させるための「Menuボタン」、選択した内容を決定するための「Selectボタン」、一つ前の操作画面に戻るための「Escボタン」、選択肢の選択や、階調の１ステップごとの増減を行う「↑ボタン」、「↓ボタン」、「→ボタン」、「←ボタン」などが含まれている。なお、「↑ボタン」、「↓ボタン」はセットで、「上下ボタン」、「→ボタン」、「←ボタン」は、セットで「左右ボタン」として説明する。この「上下ボタン」および「左右ボタン」は、操作画面の態様に応じて、それぞれがプラスボタンおよびマイナスボタンとして機能する。
リモコン２は、プロジェクタ１００を遠隔操作するためのリモコンであり、操作部１と同様な複数の操作用ボタンに加えて、階調調整モードへ直接入るための「γ調整ボタン」を備えている。
【００３０】
ランプ３は、例えば、高圧水銀ランプや、メタルハライドランプ及びハロゲンランプなどの高輝度が得られる放電式ランプである。
光学部４は、ランプ３が放射する光を輝度分布の安定した光に変換するインテグレータ光学系と、輝度分布の安定した光を光の３原色である赤色、緑色、青色の各色光成分に分離して各色光用の液晶ライトバルブ５Ｒ，５Ｇ，５Ｂに供給する分離光学系と、当該液晶ライトバルブにて各色光毎に画像信号に応じて変調された各色光を、再度合成する合成光学系（いずれも図示せず）とを含んで構成されている。
投写レンズ７は、光学部４から射出されるフルカラーの変調光を拡大して、スクリーンＳＣにフルカラー画像を投写する。
【００３１】
制御部１０は、ＣＰＵ（Central Processing Unit）であり、バスラインＢusを介して、各部との信号のやり取りを行う。
操作受付け部１１は、操作部１あるいはリモコン２への操作がなされると、当該操作を受付け、制御部１０へ各種動作のトリガとなる操作信号を送る。
電源部１２は、外部電源２１０からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
ランプ駆動部１３は、電源部１２からの電力供給を受け、ランプ３を点灯させるために高電圧を発生して放電経路を形成するイグナイタ回路と、点灯後の安定した点灯状態を維持するためのバラスト回路（いずれも図示せず）とを含んで構成されている。
【００３２】
記憶部１４は、例えば、フラッシュメモリや、ＦｅＲＡＭ（Ferroelectric Random Access Memory）などデータの書き換えが可能な不揮発性のメモリにより構成されている。記憶部１４には、プロジェクタ１００を起動させるための順序と内容を規定した起動プログラムや、画像信号の階調特性を嗜好に合せて補正するための「階調特性調整プログラム」などのプロジェクタ１００の動作を制御するための様々なプログラムおよび付随するデータが記憶されている。付随するデータには、プロジェクタ１００の製造段階において測定された液晶ライトバルブ５Ｒ，５Ｇ，５Ｂごとの入力電圧レベルと、光の透過率との相関を示すＶＴ特性に応じた、複数のγ補正データが記憶されている。
ＡＤコンバータ１５は、ＡＤコンバータであり、デコーダ（図示せず）を含んで構成されている。ＡＤコンバータ１５は、画像信号供給装置２００から供給される様々な形式のアナログ画像信号Vinを、必要に応じてデコーダにより信号形式を合せてからサンプリングクロックSCLKに基づいてＡ／Ｄ変換し、変換されたデジタルＲＧＢ信号を画像信号Dinとして出力する。サンプリングクロックＳＣＬＫは、画像信号処理部１６内のＰＬＬ（Phase Locked Loop）回路（図示せず）にて、画像信号Vinの同期信号SYNCから生成され、ＡＤコンバータ１５に供給される。この画像信号のＡＤ変換は、画像信号Vinに様々な画像信号処理を施すために行われる。
【００３３】
画像信号処理部１６は、スケーラ機能を備えた画像プロセッサであり、画像信号Dinにスケーリングおよび階調特性の調整を含む様々な画像処理を施すことによりデジタル画像信号Dcsを生成する。画像信号処理部１６には、フレームメモリ１７およびＯＳＤメモリ１８が付属している。
フレームメモリ１７は、例えば、ＤＲＡＭ（Dynamic Random Access Memory）により構成された、赤色、緑色、青色の各色光ごとの画像信号による画像データを記憶する３枚のメモリプレーンである。
ＯＳＤメモリ１８は、画像メモリであり、プロジェクタ１００を操作するための様々な操作画面や、画像部位を選択するための選択カーソルを表す画像データなどの画像情報が記憶されている。
画像信号処理部１６は、スケーラ部１９、ＯＳＤ部２０、階調ポイント調整部２１、ガンマ補正部２２、ＣＰＵ部２３などから構成されている。
【００３４】
スケーラ部１９は、画像信号Dinの画像データを、当該画像信号の持つ解像度でＲＧＢの色信号ごとにフレームメモリ１７に書き込み、液晶ライトバルブ５Ｒ，５Ｇ，５Ｂにて表示可能な解像度に変換して読み出すことにより、表示部の解像度に合致した画像信号を生成するスケーリング処理を行う。また、スクリーンに投写された有効画像の形状を矩形に近づけるための台形補正処理も、スケーリング処理と合せて行われる。
ＯＳＤ部２０は、ＯＳＤメモリ１８から操作画面などを読み出し、読み出した画面を画像信号に重畳させるＯＳＤ（On Screen Display）機能を司る。ＯＳＤ処理は、フレームメモリ１７にＲＧＢの色光ごとの画像が書き込まれている段階で行われる。
【００３５】
階調ポイント調整部２１、およびガンマ補正部２２は、ファームウエアのＲＡＭエリアに設けられた１次元のルックアップテーブル（以降、「ＬＵＴ」という）であり、画像信号Dinの階調特性を調整する。なお、階調ポイント調整部２１の前段にはＲＧＢ信号をＹＵＶ信号に変換する「ＲＧＢ−ＹＵＶ変換部」、ガンマ補正部２２の後段にはＹＵＶ信号をＲＧＢ信号に変換する「ＹＵＶ−ＲＧＢ変換部」（いずれも図示せず）が設けられており、「階調ポイント調整」および「γ補正」は、ＹＵＶ信号のＹ信号を用いて行われる。
ＣＰＵ部２３は、画像プロセッサとしての画像信号処理部１６の制御を司るＣＰＵであり、フレームメモリ１７、ＯＳＤメモリ１８、を用いて、前記一連の画像処理を制御する。なお、ＣＰＵ部２３が、制御部１０の機能、例えば、プロジェクタ１００の起動、画像の投写、シャットダウンなどの全体制御を兼ねることにより、プロジェクタ１００の構成を、制御部１０を省いた構成としても良い。
【００３６】
画像信号補正部２５は、３次元のＬＵＴであり、画像信号処理部１６から入力される画像信号Dcsに、液晶ライトバルブ５Ｒ，５Ｇ，５Ｂで表現可能な色再現領域（ガマット）で、画像信号による画像を適切に表すためのカラーマッチング処理や、液晶ライトバルブ５Ｒ，５Ｇ，５Ｂ固有の色むらを補正するための色むら補正処理を施したデジタル画像信号を生成する。さらに画像信号補正部２５は、ＤＡコンバータ（図示せず）を内蔵しており、当該ＤＡコンバータにより生成したデジタル画像信号をＤＡ変換し、アナログ画像信号Voutを生成する。
液晶パネル駆動部２６は、液晶ライトバルブ５Ｒ，５Ｇ，５Ｂに画像信号補正部２５から入力される画像信号Voutと、駆動電圧などを供給し、液晶ライトバルブ５Ｒ，５Ｇ，５Ｂに画像を写し出す。
【００３７】
《階調特性の調整および補正方法》
図３（ａ）は、階調ポイント調整部のＬＵＴにおける入出力特性の一例を示すグラフである。図４（ａ）は、液晶ライトバルブのＶＴ特性の一例を示すグラフ、図４（ｂ）は、ガンマ補正部のＬＵＴにおける入出力特性の一例を示すグラフである。
ここでは、本発明の特徴部分である階調ポイント調整部２１、およびガンマ補正部２２による階調特性の調整の内容について、図２、図３（ａ）および図４（ａ），（ｂ）を用いて説明する。
プロジェクタ１００において、階調特性の調整は、第１段階としての階調ポイント調整部２１による調整と、第２段階としてのガンマ補正部２２による調整との２段階に行われる。よって、画像信号処理部１６から出力される画像信号Dcsは、前記各段階において施される調整内容を合成した階調特性を持つこととなる。
【００３８】
第１段階は、階調ポイント調整部２１による、階調特性の調整ポイントごとの階調調整である。階調ポイント調整部２１は、「カラーモード」調整、および「ガンマ」調整における「カスタム」特性の調整を担う。
図３（ａ）のグラフのＸ軸には、入力階調レベルに応じて複数の調整ポイント「階調１〜９」が設けられている。また、調整ポイント「階調１〜９」ごとに、それぞれの調整ポイントにおける出力階調値を示すドット表示部Ｄ１〜Ｄ９が設けられている。
ここで図３（ａ）のグラフの入出力特性を持つ階調ポイント調整部２１のＬＵＴは、１０ビットの入力階調値に対して、１対１に対応する１０ビットの出力階調値を出力する。当該ＬＵＴの初期設定における変換特性は、Ｘ軸の入力階調値を「ｘ」、Ｙ軸の出力階調値を「ｙ」としたとき、「ｙ＝ｘ」として設定されている。これは、γ値１．０に相当し、「カラーモード」調整におけるカラーモードでいうと「ナチュラル」となる。カラーモードには、「ナチュラル」、「ダイナミック」、「シアター」などの選択肢がある。
【００３９】
「カラーモード」調整に用いられ、画像の階調特性のベースとなる「基準γ特性」にアクセントを持たせるためのカラーモードごとに設定された「階調補正データ」は、あらかじめ記憶部１４に記憶されている。「階調補正データ」は、階調ポイント調整部２１のＬＵＴに設定され、調整ポイント「階調１〜９」ごとに出力階調値が定められている。
また、ガンマ調整の「カスタム」特性においては、調整ポイント「階調１〜９」ごとの出力階調値が所望の値に調整され、カスタマイズされた「階調補正データ」が生成される。
なお、「カスタム」特性の調整は、階調ポイント調整部２１にて行われるが、カラーモードの選択操作がなされる操作画面からではなく、「ガンマ」調整の操作画面から調整操作が行われる。
【００４０】
第２段階は、ガンマ補正部２２による、液晶ライトバルブ５Ｒ，５Ｇ，５Ｂに固有の階調特性を補正するための調整である。なお、以降の説明において、階調ポイント調整部２１による階調特性の調整のことを「階調ポイント調整」、ガンマ補正部２２による各液晶ライトバルブに固有の階調特性を補正するための調整のことを「γ補正」として説明する。
【００４１】
図４（ａ）のグラフにおいて、横軸は、液晶ライトバルブへの印加電圧を８ビットで示し、縦軸は、光の透過率を表している。図４（ａ）に示される通り、液晶ライトバルブ５Ｒ，５Ｇ，５Ｂは、それぞれが固有の階調特性（「電圧対透過率特性」または、「ＶＴ特性」ともいう）を有している。
ガンマ補正部２２は、この液晶ライトバルブ５Ｒ，５Ｇ，５Ｂ固有の階調特性が、図４（ａ）のグラフにおいて基準γ特性で示される入出力特性となるようにＬＵＴにより補正を行う。このためガンマ補正部２２の液晶ライトバルブ５Ｒ，５Ｇ，５Ｂごとに設けられたＬＵＴには、図４（ｂ）に示されるような、液晶ライトバルブ５Ｒ，５Ｇ，５Ｂ固有の階調特性を、基準γ特性（例えば、γ値２．２）に変換するための入出力特性を持つ「γ補正データ」が設定されている。
プロジェクタ１００は、基準γ特性としてγ値２．０〜２．４（０．１刻み）の５つの選択肢を有している。これらの基準γ特性に対応するγ補正データは、プロジェクタ１００の製造段階において、液晶ライトバルブ５Ｒ，５Ｇ，５Ｂごとの階調特性を測定した上であらかじめ設定されており、記憶部１４に記憶されている。
【００４２】
このようにプロジェクタ１００における階調特性の調整は、第１段階としての階調ポイント調整部２１による「階調ポイント調整」と、第２段階としてのガンマ補正部２２による「γ補正」との２段階に行われるため、画像信号処理部１６から出力される画像信号Dcsは、前記各段階において施される調整内容を合成した階調特性を持つこととなる。これをグラフで説明すると、図４（ａ）の「γ補正」による基準γ特性と、図３（ａ）の「階調ポイント調整」による調整特性とを合成した階調特性として表される。
なお、階調特性の調整は、ガンマ補正部２２による調整を先に行い、続いて階調ポイント調整部２１による調整を行うという順番であっても良い。
これにより、例えば、基準γ特性「γ値２．０」における「ナチュラル」または「ダイナミック」もしくは「シアター」モードや、基準γ特性「γ値２．３」における各カラーモードなどという多様な組合せにより、様々な階調特性が生成される。
【００４３】
図３（ｂ）は、図３（ａ）のグラフにおける調整ポイントごとの１ステップあたりの階調量を表す表である。ここでは、図３（ｂ）を加えて、第１段階の階調ポイント調整部２１による「階調ポイント調整」についてさらに詳しく説明する。
図３（ｂ）のグラフにおける調整ポイントは９ポイント（階調１〜９）あり、そのうち６ポイントまでが、中間階調値である５１１階調値以下に設定されている。
また、残る３ポイントのうち１ポイント（階調７）は、略中間階調値である５１２階調値に設けられていることから、約７８％の調整ポイントが、入力階調における低から中階調域に設けられていることになる。これは、経験則から割り出された調整頻度の多い階調域に、より多くの調整ポイントを設けたことによるものである。
【００４４】
このような複数の調整ポイントの中から、調整ポイントを選択して階調特性を調整するためには、「ガンマ」調整の選択肢の中から「カスタム」特性を選択し、「カーソル調整モード」または「グラフ調整モード」により、調整したい画像部位または、調整ポイントを指定する。
例えば、「カーソル調整モード」において選択カーソル５１により、図１のスクリーンＳＣに投写されている画像の左下の画像部位を選択決定した場合、選択された画像部位の階調値に最も近い図３（ａ）のグラフにおける調整ポイント（例えば、階調４）が選択される。
【００４５】
選択された調整ポイントにおける出力階調の調整は、操作部１またはリモコン２のプラスおよびマイナスボタンとしての「上下ボタン」または「左右ボタン」により行われる。例えば、プラスおよびマイナスボタンとしての機能は、図９（ｂ）の階調調整画面Ｇ４においては「左右ボタン」が、図１７（ａ）のグラフ調整画面Ｇ１２では「上下ボタン」が、それぞれその機能を担う。
また、各調整ポイントにおける１回の増加および減少操作による１ステップ当たりの所定の階調量は、例えば、調整ポイント「階調４」においてプラスボタンが１回操作されると、出力階調値は、所定の階調量としての１ステップ分「４カウント」増加する。同様に、マイナスボタンが１回操作されると、出力階調値は、１ステップ分「４カウント」減少する。また、プラスおよびマイナスボタンが押し続けられた場合（以降、「長押し」という）、長押しされた時間に応じて、１ステップ量づつ連続して増減させる。
【００４６】
このように各調整ポイントにおける１回の増加および減少操作による１ステップ当たりの所定の階調量としての調整階調量があらかじめ定められている。
調整ポイントごとの階調量は、図３（ｂ）に示されるように、高階調域の調整ポイント「階調８，９」では、１ステップ分「２カウント」、その他の低〜中階調域の調整ポイントでは、１ステップ分「４カウント」と、低〜中階調域の調整ポイントにおける調整量が、高階調域に比べて多くなるように設定されている。
これは、高階調域における階調値の調整量は、低〜中階調域と比べて、少ないという経験則から定められている。
【００４７】
《選択カーソルの詳細》
図５（ａ）は、一態様における選択カーソルの拡大図である。図５（ｂ）は、選択カーソルによる画像部位の選択状態の一態様を示す図である。
ここでは、「カーソル調整モード」にて用いられる選択カーソルの詳細について説明する。図５（ａ）は、図１において、スクリーンＳＣの投写画像における左下の人物の背景画像部位を選択している選択カーソル５１を拡大したものである。
【００４８】
選択カーソル５１は、画素選択部５２と、環状部５３とから構成されている。
画素選択部５２は、画像における所望の画像部位を選択するための選択範囲を示し、表示部である液晶ライトバルブの有効表示画素の中から、選択範囲内に収まった画素を選択する。画素選択部５２の場合、連続する縦横各３画素からなる画素ｐ１〜９の９画素が選択範囲となる。なお、画素数は、９画素に限定するものではなく、３画素以上の連続した画素数であれば良い。
環状部５３は、画素選択部５２を包み込むように設けられ、常に画素選択部５２と同一の色調となるように設定されている。環状部５３は、常に画素選択部５２と一緒に移動し、双方の位置関係は常に一定に保たれている。
このように画素選択部５２の周りを環状部５３が囲う特徴的な形態であるため、図１におけるスクリーンＳＣの画像の中で、選択カーソル５１の位置は、選択カーソル５１の大きさが小さくても、はっきりと確認されている。
【００４９】
選択カーソル５１は、スケーラ部１９によるスケーリング処理において、フレームメモリ１７にＲＧＢ信号ごとの画像データが書き込まれている段階で、ＯＳＤ部２０により重畳される。選択カーソル５１の位置は、フレームメモリ１７上のアドレスにおいて、初期設定のアドレスから、「上下ボタン」および「左右ボタン」の操作による移動量によりＣＰＵ部２３にて把握されている。ちなみに、選択カーソル５１の初期設定における位置は、画像の略中央部となっている。
選択カーソル５１によって選択された画素の階調値は、ＲＧＢ信号ごとの画像データが書き込まれたフレームメモリ１７における当該選択された画素の画像データを演算することにより、輝度信号データ（Ｙ信号データ）として求められる。具体的には、「Ｙ＝０．２９９Ｒ＋０．５８７Ｇ＋０．１４４Ｂ」というような演算により輝度信号データが求められる。
プロジェクタ１００は、このようにして求められた９画素の階調値（Ｙ信号）において、最大と最小の階調値を除いた階調値の平均値を、選択された画像部位の階調値として認識する。これは、画像におけるノイズなどによる、異質な画素成分を除外するためである。なお、選択された全ての画素の階調値の平均をもって、選択された画像部位の階調値として認識する事であっても良い。
【００５０】
図５（ｂ）は、画像Ｖの縁部を選択カーソルにより選択しているときの、選択カーソルの態様を示している。なお、選択カーソル５１の位置が、画像Ｖの縁に達した場合、ＣＰＵ部２３は、画素選択部５２の全貌が画像Ｖからはみ出さないように制御している。画像Ｖは、全白に近い階調値の明るい画像である。
選択カーソル５１ｉ、５１ｊは、画像Ｖの左下周辺の画像部位を選択している。なお、ここでは、説明のため選択カーソル５１ｉ、５１ｊを同一画面上に並べて示しているが、実際は、どちらか１つのみが表示される。
選択カーソル５１ｉの画素選択部５２は、画像Ｖの左下における最端部の９画素を選択している。この場合、環状部５３は、画像Ｖの範囲内の部分のみ表示される。
同様に画像Ｖの左下側の画素を選択している選択カーソル５１ｊの場合も、環状部５３は、画像Ｖの範囲内の部分のみ表示されている。
このように、画像Ｖの縁部を選択カーソルにより選択した場合であっても、画像Ｖの範囲内の環状部５３の形状が表示されるため、選択カーソルがはっきりと確認されている。
【００５１】
また、全白に近い明るい画像Ｖ上に表示されている選択カーソル５１ｉ、５１ｊは、全黒の色調となっている。他方、図１のスクリーンＳＣの画像においては、選択カーソル５１は白色となっている。
このように、選択カーソルの色調は、選択された画像部位の階調に応じて、選択された画像部位と、白または黒とのコントラストの大きい方のいずれかの色調となるようにＣＰＵ部２３により制御されている。
【００５２】
《第１の画像調整処理の流れ−１：分岐画面まで》
図６は、分岐画面までの画像調整の流れを示したフローチャートである。図７（ａ）は、選択画面の一態様を示す図、図７（ｂ）は、分岐画面の一態様を示す図である。
ここでは、プロジェクタ１００による画像調整の第１の態様における分岐画面までの処理の流れについて、図６を中心に、適宜図７（ａ），（ｂ）、図２を用いて説明する。
プロジェクタ１００は、図１に示されるような環境に設置され、リモコン２により操作される。
【００５３】
ステップＳ１では、制御部１０は、操作受付け部１１からの操作信号により「ガンマ」調整を行う操作が有ったか確認する。「ガンマ」調整を行う操作が有った場合には、ステップＳ２へ進む。操作がなかった場合は、引き続き操作を待ち受ける。この操作により、記憶部１４の「階調調整プログラム」が起動し、当該プログラムに規定された階調調整の順序および内容に沿って以下の処理が行われる。
ステップＳ２では、制御部１０は、画像信号処理部１６により図７（ａ）に示される選択画面Ｇ１を画像信号に重畳させる。
【００５４】
選択画面Ｇ１の左側には、階調特性の選択肢としてγ値２．０〜２．４と、カスタム特性を示す「カスタム」と、リセットという選択肢が表示されている。また、選択画面Ｇ１の右側の画面は、選択されている選択肢の階調特性を示している。選択画面Ｇ１は、「カスタム」が選択されている状態を示しており、画面右側のグラフは、その階調特性を示している。
選択画面Ｇ１のグラフは、「γ補正」と、「階調ポイント調整」による調整特性とを、合成した階調特性を示しているが、この直線は基準γ特性「γ値２．２」を意味している。これは、プロジェクタ１００の初期設定における基準γ特性が「γ値２．２」であるため、グラフが「γ値２．２」のときに直線として表される目盛り軸の設定となっていることと、カスタム特性における初期設定の基本γ特性も、「γ値２．２」に設定されているためである。
なお、以降の説明に用いられる各種操作画面におけるグラフも同様の目盛り軸の設定となっている。
【００５５】
また、選択画面Ｇ１の下には、選択画面Ｇ１を操作するための操作部１、またはリモコン２の対応する操作ボタン名が示されている。具体的には、操作段階を１ステップ戻すためには「Escボタン」、階調特性を選択するためには「上下ボタン」、「カスタム」特性の選択を決定するためには「Selectボタン」、調整を終了させるためには「Menuボタン」を使うと表示されている。なお、以降説明するその他の操作画面におけるこのような操作案内表示も、同様の意味を持っている。
また、以降の説明において、新しい操作画面が表示される際には、それまで表示されていた操作画面は閉じられ、また、操作画面が表示されてから、一定時間、例えば、２分間何も操作がなされなかった場合には、操作画面を閉じて、当該調整を終了するものとする。
【００５６】
ステップＳ３では、制御部１０は、操作受付け部１１からの操作信号により選択画面Ｇ１の階調特性の選択肢から、いずれかの特性を選択する操作が有ったか確認する。選択操作が有った場合には、ステップＳ４へ進む。選択操作がなかった場合は、引き続き操作を待ち受ける。
ステップＳ４では、制御部１０は、選択された階調特性のγ補正データを、ガンマ補正部２２のＬＵＴに設定し、当該階調特性による画像を投写する。この段階で、選択画面Ｇ１の背面の投写画像は、選択された階調特性により画像調整された画像となっている。
ステップＳ５では、制御部１０は、操作受付け部１１からの操作信号により選択された階調特性を決定する操作が有ったか確認する。決定操作が有った場合には、ステップＳ６へ進む。決定操作がなかった場合は、ステップＳ３へ戻り、決定操作がなされるまで、選択操作を受付ける。
【００５７】
ステップＳ６では、制御部１０は、選択された階調特性が「カスタム」特性であるか確認する。「カスタム」特性で有った場合、ステップＳ７へ進む。「カスタム」特性ではなかった場合、ステップＳ１０へ進む。
ステップＳ７では、制御部１０は、画像信号処理部１６により図７（ｂ）に示される分岐画面Ｇ２を画像信号に重畳させる。
分岐画面Ｇ２には、「映像から調整する」と表された「カーソル調整モード」と、「グラフから調整する」と表された「グラフ調整モード」とのいずれかを選択するための選択肢が表示されている。分岐画面Ｇ２は、「カーソル調整モード」が選択された状態を表している。
【００５８】
ステップＳ８では、制御部１０は、操作受付け部１１からの操作信号により「カーソル調整モード」を選択決定する操作が有ったか確認する。選択決定操作が有った場合、「カーソル調整モード」のサブルーチンへ進む。選択決定操作がなかった場合、ステップＳ９へ進む。
ステップＳ９では、制御部１０は、操作受付け部１１からの操作信号により「グラフ調整モード」を選択決定する操作が有ったか確認する。選択決定操作が有った場合、「グラフ調整モード」のサブルーチンへ進む。選択決定操作がなかった場合、ステップＳ７へ戻り、選択および決定操作を待ち受ける。
続いて、ステップＳ６にて「カスタム」特性ではなかった場合について説明する。
ステップＳ１０では、制御部１０は、ガンマ補正部２２のＬＵＴに選択決定された階調特性のγ補正データを設定した状態で、画像信号処理部１６により、選択画面Ｇ１を閉じさせ、「ガンマ」調整を終了する。
【００５９】
なお、「カーソル調整モード」または、「グラフ調整モード」を選択決定した選択記録は、記憶部１４に記憶され、次回の操作時には、ステップＳ７の段階で、選択記録の調整モードを選択した状態の分岐画面が表示される。
また、ステップＳ６で、選択された階調特性が「カスタム」特性で有った場合、分岐画面Ｇ２を表示することに限定するものではなく、例えば、直接グラフまたはカーソル調整モードのいずれかの調整モードに入る処理ルーチンであっても良い。
【００６０】
《第１の画像調整処理の流れ−２：カーソル調整モード》
図８は、カーソル調整モードにおける画像調整の流れを示したフローチャートである。図９（ａ）は、特性確認画面の一態様を示す図、図９（ｂ）は、階調調整画面の一態様を示す図である。図１０（ａ）は、特性確認画面の一態様を示す図、図１０（ｂ）は、継続確認画面の一態様を示す図である。
ここでは、プロジェクタ１００のカーソル調整モードにおける画像調整の流れについて、図８を中心に、適宜図９（ａ），（ｂ）、図１０（ａ），（ｂ）、図２を用いて説明する。
【００６１】
ステップＳ２１では、制御部１０は、画像信号処理部１６により画像を静止させる。これは、動画のままだと、画像部位を選択し難いためである。
ステップＳ２２では、制御部１０は、画像信号処理部１６により「選択カーソル」を画像信号に重畳させる。この状態は、例えば、図１のスクリーンＳＣにおける画像上の選択カーソル５１のような態様である。
ステップＳ２３では、制御部１０は、操作受付け部１１からの操作信号により「選択カーソル」によって選択された画像部位を決定する操作が有ったか確認する。選択決定操作が有った場合、ステップＳ２４へ進む。選択決定操作がなかった場合、選択決定操作を待ち受ける。
【００６２】
ステップＳ２４では、制御部１０は、画像信号処理部１６により、選択された画像部位を明滅させるとともに、図９（ａ）の特性確認画面Ｇ３を画像信号に重畳させる。
この処理においては、まず、制御部１０は、「選択カーソル」によって選択された画像部位におけるＲＧＢ各色ごとの画像データをフレームメモリ１７から読み出し、各画素の画像データから輝度信号データ（Ｙ信号データ）を求める。次に、各画素のＹ信号データの最大と最小の階調値を除いたＹ信号データの平均値を求める。そして、求められたＹ信号データに一番近い調整ポイントを調整すべき調整ポイントとして選択する。
また、選択された画像部位の明滅は、階調ポイント調整部２１（ＬＵＴ）の「階調補正データ」における選択されている調整ポイントの出力階調値を、初期出力階調値プラス３２カウント、マイナス３２カウントで、１Ｈｚ周期ごとに切替えることにより行われる。
また、特性確認画面Ｇ３では、調整ポイント「階調２」が選択されている状態を示しており、調整ポイント「階調２」の表示ドット部Ｄ２が、画像部位の明滅サイクルと同期して点滅している。なお、表示ドット部の表示方法は、点滅に限定するものではなく、例えば、表示ドット部の色調を、オレンジ色などの、他の表示ドット部の色調と異なる色調に変更することであっても良い。
【００６３】
ステップＳ２５では、制御部１０は、操作受付け部１１からの操作信号により、選択された調整ポイントを決定する操作が有ったか確認する。決定操作が有った場合、ステップＳ２６へ進む。決定操作がなかった場合、決定操作を待ち受ける。
ステップＳ２６では、制御部１０は、画像信号処理部１６により、画像部位の明滅を停止させるとともに、図９（ｂ）の階調調整画面Ｇ４を画像信号に重畳させる。なお、ステップＳ２４にて、特性確認画面Ｇ３の代わりに、階調調整画面Ｇ４を表示させる処理ルーチンであっても良い。この流れの場合、ステップＳ２５の選択決定操作の確認は不要となり、階調調整画面Ｇ４への調整操作をトリガとして、画像部位の明滅を停止させる。
ステップＳ２７では、制御部１０は、操作受付け部１１からの操作信号により、出力階調値を調整する操作が有ったか確認する。調整操作が有った場合、ステップＳ２８へ進む。調整操作がなかった場合、調整操作を待ち受ける。
ステップＳ２８では、制御部１０は、調整された「階調補正データ」を、逐次、階調ポイント調整部２１のＬＵＴに設定し、当該階調特性による画像を投写する。この段階で、階調調整画面Ｇ４の背面の投写画像は、調整内容に応じた階調特性によりリアルタイムに画像調整された画像となっている。
【００６４】
ステップＳ２９では、制御部１０は、操作受付け部１１からの操作信号により、調整内容を決定する操作が有ったか確認する。決定操作が有った場合、ステップＳ３０へ進む。決定操作がなかった場合、ステップＳ２７へ戻り、決定操作があるまで調整操作を受付ける。
ステップＳ３０では、制御部１０は、画像信号処理部１６により、図１０（ａ）の特性確認画面Ｇ５を画像信号に重畳させる。特性確認画面Ｇ５では、階調ポイント調整がなされた階調特性を示すグラフが表示されている。
ステップＳ３１では、制御部１０は、操作受付け部１１からの操作信号により、調整結果を確定する操作が有ったか確認する。確定操作が有った場合、ステップＳ３２へ進む。確定操作がなかった場合、確定操作を待ち受ける。また、確定操作が有った場合、ここまでに調整された内容は、「カスタム」特性の「階調補正データ」として記憶部１４に記憶される。なお、ここで調整された「カスタム」特性に名前を附すための操作画面が表示され、例えば、「カスタム１」、「カスタムＢ」などの特性名を附して記憶させる処理ルーチンがあっても良い。
【００６５】
ステップＳ３２では、制御部１０は、画像信号処理部１６により、図１０（ｂ）の継続確認画面Ｇ６を画像信号に重畳させる。継続確認画面Ｇ６には、カーソル調整モードによる調整を継続するか否か確認するための確認表示が表されている。
ステップＳ３３では、制御部１０は、操作受付け部１１からの操作信号により、調整を継続する操作が有ったか確認する。継続操作が有った場合、ステップＳ２２へ戻り、ここまでに調整した「階調補正データ」をベースデータとして、さらにカーソル調整モードによる調整を継続する。継続操作がなかった場合、継続確認画面Ｇ６を閉じてカーソル調整モードによる調整を終了する。
【００６６】
図１１は、操作画面が画像に重畳表示されているときの一態様を示した図である。ここでは、特性確認画面や、階調調整画面の表示位置について説明する。
ステップＳ２４で、選択位置の決定操作をトリガとして、図９（ａ）の特性確認画面Ｇ３が画像信号に重畳されるが、このときの特性確認画面Ｇ３の表示位置は、図１１のように画面に向かって右下部に特性確認画面Ｇ３が表示される。これは、選択カーソル５１により選択された画像部位と、特性確認画面Ｇ３とができるだけ重ならないように画像信号処理部１６が制御しているためである。なお、図１１においては、説明のため選択カーソル５１と、特性確認画面Ｇ３とを一緒の画面に表示しているが、前述した通り、実際には、両者が一緒に表示されることはない。
また、選択画面、分岐画面、特性選択画面、階調調整画面などの操作画面の初期設定における表示位置は、画像の左下部分に設定されているが、特性確認画面および階調調整画面の表示位置については、選択されている画像部位、または、選択された調整ポイントに対応する画像部位と重ならないように制御されている。さらにこれらの操作画面の大きさは、特性確認画面Ｇ３のように、画像面積の１／４以下に設定されている。
【００６７】
また、ステップＳ２４において、選択された画像部位の明滅が、出力階調値の±３２カウントの増減により行われている背景、および明滅の周期が１Hzに設定されている理由について説明する。
一般的な画像表示装置における出力階調レベルは、８〜１０ｂｉｔであり、これは２５６〜１０２４出力階調値となる。ここで画面部位の明滅により、画面部位を視認させるときに、この出力階調レベルのフルスケールにより、階調「ゼロ」から最大値までを周期的に増減させると、コントラストが大きすぎて画像がちらついてしまい、観察者の眼が疲れてしまう。また、表示部の応答性が追いつかずに、残像のある違和感のある画像となってしまうこともある。このような現象を防ぐためには、選択された画像部位の明滅を出力階調値のフルスケールにおける±１０％以下の階調量で行うことが好ましい。
よって、出力階調値の増減量は、±３２カウントに設定されているが、これに限定するものではなく、出力階調値のフルスケールにおける±１０％以下の階調量であれば良い。
また、明滅の周期が１Hzに設定されているのは、一般的に人間の視覚特性は、明滅周期が３Hzを超えると、徐々に画像のちらつきによる不快感を感じる度合いが高まると言われているからである。よって、明滅の周期は、１Hzに限定するものではなく、０．５〜３Hzの範囲内であれば良い。
【００６８】
《第１の画像調整処理の流れ−３：グラフ調整モード》
図１２は、グラフ調整モードにおける画像調整の流れを示したフローチャートである。図１３（ａ），（ｃ）は、特性確認画面の一態様を示す図、図１３（ｂ）は、階調調整画面の一態様を示す図である。
ここでは、プロジェクタ１００のグラフ調整モードにおける画像調整の流れについて、図１２を中心に、適宜図１３（ａ），（ｂ），（ｃ）、図２を用いて説明する。
【００６９】
ステップＳ４１では、制御部１０は、画像信号処理部１６により画像を静止させる。
ステップＳ４２では、制御部１０は、画像信号処理部１６により図１３（ａ）の特性確認画面Ｇ７を画像信号に重畳させる。特性確認画面Ｇ７は、調整ポイント「階調１」が選択された状態で表示され、調整ポイント「階調１」に対応する画像部位が１Ｈｚ周期で明滅している。さらに調整ポイント「階調１」のドット表示部Ｄ１も、同期して点滅する。
なお、ドット表示部の表示方法は、例えば、表示ドット部の色調を、オレンジ色などの、他の表示ドット部の色調と異なる色調に変更することであっても良い。
【００７０】
ステップＳ４３では、制御部１０は、操作受付け部１１からの操作信号により、調整ポイントを選択する操作が有ったか確認する。選択操作が有った場合、ステップＳ４４へ進む。選択操作がなかった場合、選択操作を待ち受ける。
ステップＳ４４では、制御部１０は、画像信号処理部１６により、選択された調整ポイントに対応する画像部位を１Ｈｚ周期で明滅させる。また、特性確認画面Ｇ７における選択された調整ポイントのドット表示部も、同期して点滅させる。なお、画像部位の明滅は、階調ポイント調整部２１（ＬＵＴ）の「階調補正データ」における選択されている調整ポイントの出力階調値を、初期出力階調値プラス３２カウント、マイナス３２カウントで、１Ｈｚ周期ごとに切替えることにより行われる。
【００７１】
ステップＳ４５では、制御部１０は、操作受付け部１１からの操作信号により、選択された調整ポイントを決定する操作が有ったか確認する。決定操作が有った場合、ステップＳ４６へ進む。決定操作がなかった場合、ステップＳ４３へ戻り、決定操作があるまで選択操作を受付ける。
ステップＳ４６では、制御部１０は、画像信号処理部１６により、画像部位の明滅を停止させるとともに、図１３（ｂ）の階調調整画面Ｇ８を画像信号に重畳させる。なお、ステップＳ４４にて、特性確認画面Ｇ７を閉じて、階調調整画面Ｇ８を表示させる処理ルーチンであっても良い。この流れの場合、ステップＳ４５の選択決定操作の確認は不要となり、階調調整画面Ｇ８への調整操作をトリガとして、画像部位の明滅を停止させる。
ステップＳ４７では、制御部１０は、操作受付け部１１からの操作信号により、出力階調値を調整する操作が有ったか確認する。調整操作が有った場合、ステップＳ４８へ進む。調整操作がなかった場合、調整操作を待ち受ける。
ステップＳ４８では、制御部１０は、調整された「階調補正データ」を、逐次、階調ポイント調整部２１のＬＵＴに設定し、当該階調特性による画像を投写する。この段階で、階調調整画面Ｇ８の背面の投写画像は、調整内容に応じた階調特性によりリアルタイムに画像調整された画像となっている。
【００７２】
ステップＳ４９では、制御部１０は、操作受付け部１１からの操作信号により、調整内容を決定する操作が有ったか確認する。決定操作が有った場合、ステップＳ４２へ戻る。決定操作がなかった場合、ステップＳ４７へ戻り、決定操作があるまで調整操作を受付ける。
なお、決定操作が有った場合、ステップＳ４２で表示される操作画面は、図１３（ｃ）に示されるような特性確認画面Ｇ９となる。特性確認画面Ｇ９では、例えば、調整ポイント「階調５」の出力階調値が、先に行われた調整内容を盛り込んだ階調値となっている。また、この調整内容は、「カスタム」特性の「階調補正データ」として記憶部１４に既に記憶されている。なお、ここで調整された「カスタム」特性に名前を附すための操作画面が表示され、例えば、「カスタム１」、「カスタムＢ」などの特性名を附して記憶させる処理ルーチンがあっても良い。
【００７３】
上述した通り、本実施形態によれば以下の効果が得られる。
（１）記憶部１４は、画像調整に用いられる特性自体をカスタマイズ可能なカスタム特性を含む複数の階調特性データを記憶していることから、プロジェクタ１００は、階調特性の選択肢が多く、使用者の多様な嗜好による選択肢に応じることができる。
画像信号処理部１６は、選択画面Ｇ１の階調特性を選択する操作がなされると、画像信号の階調特性を選択された階調特性により調整し、調整が施された画像信号による画像を投写することから、調整内容の選択段階において、選択画面Ｇ１の背景に調整内容を盛り込んだ画像を確認することができる。
従って、プロジェクタ１００は、使用者の嗜好に応じた画質調整が可能で、調整内容の選択段階において、調整内容を盛り込んだ画像を確認することができる。
【００７４】
（２）選択画面Ｇ１には、選択されている階調特性の入力および出力階調レベルの相関関係を表すグラフが含まれていることから、選択されている階調特性を表すグラフを視認することができる。
従って、プロジェクタ１００は、調整内容の選択段階において、調整内容を盛り込んだ画像に加えて、当該画像の階調特性を表すグラフも確認することができる。
【００７５】
（３）ＯＳＤ部２０は、カスタム特性の選択決定をトリガとして、グラフ、あるいは、カーソル調整モードのいずれか一方を選択させるための分岐画面Ｇ２を画像信号に重畳させることから、分岐画面Ｇ２により、グラフ、あるいは、カーソル調整モードのいずれか一方を選択することができる。
従って、プロジェクタ１００は、使用者の嗜好に応じた調整方法を選択させることができる。
【００７６】
（４）「カーソル調整モード」または、「グラフ調整モード」を選択決定した記録である選択記録は、記憶部１４に記憶され、次回の操作時には、選択記録の調整モードを選択した状態の分岐画面Ｇ２が表示されることから、使用者が、調整モードを選択操作する可能性が低減される。
従って、プロジェクタ１００は、使い勝手が良い。
【００７７】
（５）カスタム特性が選択された場合、「カーソル調整モード」または、「グラフ調整モード」いずれの調整モードであっても、カスタム特性の初期設定の階調特性を示す画像より小さなグラフである特性確認画面が表示されることから、特性確認画面によりカスタム特性の初期設定の階調特性を確認することができる。
さらに「グラフ調整モード」において、特性確認画面Ｇ７のグラフにおける調整ポイントごとの出力階調レベルを示す複数のドット表示部のうち、いずれか１つを選択する操作がなされると、ＯＳＤ部２０は、特性確認画面Ｇ７の重畳を止めるとともに、選択された調整ポイントの出力階調レベルを調整するための静止画像よりも小さな階調調整画面Ｇ８を画像信号に重畳させることから、階調調整画面Ｇ８により、選択された調整ポイントの出力階調レベルの調整を行うことができる。
従って、プロジェクタ１００は、階調特性をグラフにより確認してから、使用者の嗜好に応じた画質調整を行うことができる。
【００７８】
（６）「カーソル調整モード」が選択決定されると、選択カーソル５１が表示されるとともに、画像が静止することから、画像が動いていると困難な選択カーソル５１による画像部位の選択を、静止画像上で容易に行うことができる。
さらにＯＳＤ部２０は、選択カーソル５１による画像部位を選択する操作がなされると、選択画像部位の決定操作を経てから、選択された画像部位に対応する階調特性の調整ポイントにおける出力階調レベルを調整するための静止画像よりも小さな階調調整画面Ｇ４を、画像信号に重畳させることから、階調調整画面Ｇ４により、選択された調整ポイントの出力階調レベルの調整を行うことができる。
従って、プロジェクタ１００は、所望の画像部位を容易に選択可能で、使用者の嗜好に応じた画質調整を行うことができる。
【００７９】
（７）画像信号処理部１６は、階調調整画面における階調レベルの調整操作に応じて、静止画像における調整ポイントに対応する画像部位の階調値を調整操作されている出力階調レベルに応じて逐次調整することから、調整を行っている段階において、調整内容を盛り込んだ画像をリアルタイムで確認することができる。
従って、プロジェクタ１００は、使用者の嗜好に応じた画質調整が可能で、調整を行っている段階において、調整内容を盛り込んだ画像をリアルタイムで確認することができる。
【００８０】
（８）カスタム特性における複数の調整ポイントは、入力側の低階調域から中階調域の範囲に多くの調整ポイントが配分されていることから、プロジェクタ１００は、使用者が最も階調調整に期待している「画質造り」に必要な階調領域に、多くの調整ポイントを有している。
また、調整ポイントごとの所定の出力階調量は、高階調域の調整ポイントに比べて、低階調域の調整ポイントの方が、多くなるように設定されていることから、グラフ調整画面、および階調調整画面の１ステップあたりの調整量は、使用ニーズに合った調整量に設定されている。
従って、プロジェクタ１００は、使い勝手が良く、使用者の嗜好に応じた画像調整を行うことができる。
【００８１】
（９）選択画面、特性確認画面、階調調整画面、および分岐画面を含む操作画面の大きさは、画像の１／４以下であることから、操作画面により隠れてしまう部分を除いても、全体の３／４以上の画像を確認することができる。さらに操作画面は、初期設定として、略矩形をなした画像における四隅のいずれかの内側に配置されることから、画像の中心である中心部分が、操作画面によって隠れてしまうことはない。
また、ＯＳＤ部は、選択された画像部位と、操作画面とが重ならないように、操作画面の位置を画像の範囲内で移動させることから、調整時に最も気になる選択された画像部位の調整状況を、調整時に確認することができる。
従って、プロジェクタ１００は、常に画像の状態を確認しながら、画像調整を行うことができる。
【００８２】
（１０）カスタム特性のデフォルトにおける初期設定の階調特性は、変更可能に設けられ、記憶部１４に記憶されている複数の階調特性のうち、いずれか１つの階調特性が設定されることから、使用者の嗜好に合せてベースとなる階調特性を選択することができる。
また、調整されたカスタム特性は、記憶部に記憶され、次回、選択画面が表示されるときには、複数の階調特性の選択肢の１つとして表示されることから、調整したカスタム特性を記憶し、容易に再現することができる。
従って、プロジェクタ１００は、使い勝手が良く、使用者の嗜好に応じた画像調整を行うことができる。
【００８３】
（１１）「カーソル調整モード」において、画像信号処理部１６は、画像調整を行う操作がなされると、画像を静止させるとともに、画像上の所望の画像部位を選択するための選択カーソル５１を表示部に表示させる。よって、画像が動画であると、画像が変化するため画像部位を選択することが困難であるが、画像を静止させることにより、選択がし易い。さらに静止画像の中から、所望の画像部位を選択カーソル５１により選択することができる。
ＯＳＤ部２０は、選択カーソル５１による画像部位を選択する操作がなされると、選択された画像部位の階調に対応する調整ポイントを点滅、または調整ポイントの色調を変化させた特性確認画面を画像信号に重畳させることから、画像全体の階調特性における画像部位の位置がグラフに明示される。よって、画像全体の階調特性における調整ポイントを、階調調整を行う前にグラフにて確認することができる。
さらにＯＳＤ部２０は、選択された画像部位を決定する操作がなされると、選択された画像部位の階調に対応する調整ポイントの階調調整画面を画像信号に重畳させることから、階調調整画面により、選択された画像部位の階調調整を行うことができる。
従って、プロジェクタ１００は、投写画像の中から所望の調整部位を選択可能で、画像全体の階調特性を確認してから、選択した調整部位の画像を調整することができる。
【００８４】
（１２）画像信号処理部１６は、液晶ライトバルブ５Ｒ，５Ｇ，５Ｂに固有の階調特性を人間の視覚特性に適したものとするためにあらかじめ定められた複数の基準γ特性のうち、いずれか１つの基準γ特性に補正するためのガンマ補正部２２と、基準γ特性における入力レベルに応じて設けられた複数の調整ポイントごとの出力階調値を調整する階調ポイント調整部２１と、を備えることから、それぞれの機能が独立した専用の構成部位で行われる。よって、それぞれの構成を専用化できるため、シンプルな構成とすることができる。
さらに画像信号処理部１６としての画像信号への階調調整は、ガンマ補正部２２におけるγ補正と、階調ポイント補正部２１における階調ポイント調整とを合成した階調特性により行われることから、２つの調整部位によって、高度な階調調整を行うことができる。
また、選択された調整ポイントの階調調整画面において、出力階調値の調整がなされると、階調ポイント調整部は、調整ポイントの出力階調値を調整内容に応じて変化させることから、階調調整画面の背面の画像は、リアルタイムに調整内容を反映した画像に更新される。
従って、プロジェクタ１００によれば、シンプルな階調調整構成により、高度な階調調整が可能で、リアルタイムに調整内容を反映した画像を確認することができる。
【００８５】
（１３）「カーソル調整モード」において、選択カーソル５１は、液晶ライトバルブの画素における３画素以上の複数の連続する画素を選択する大きさを持つ画素選択部５２を含んで構成されることから、幅を持った複数の画素における画素データを基にして、使用者が意図した選択部位を判断することができる。
さらに選択された画像部位に対応する階調特性の調整ポイントは、画素選択部により選択された複数の画素ごとの階調値の平均値、または、画素選択部により選択された複数の画素ごとの階調値における最大および最小の階調値を除いた平均値に最も近い入力階調レベルの調整ポイントが選択されることから、ノイズを含んだ画素データによる影響を低減して、使用者が意図した画像部位に対応する調整ポイントを選択することができる。
従って、プロジェクタ１００は、投写画像の中から使用者の意図する調整部位を、正確に選択することができる。
【００８６】
（１４）「カーソル調整モード」において、画素選択部５２は、好適には縦横各３画素からなる方形状の合計９画素を選択する大きさを有することから、最大および最小の階調値の画素を除いて平均値をとる場合であっても、７画素の有効画素データが得られる。また、全体画像の中において適度な大きさとなるため視認し易く、さらに方形状であるため、画像部位を選択し易い。
従って、プロジェクタ１００は、投写画像の中から使用者の意図する調整部位を、容易かつ正確に選択することができる。
【００８７】
（１５）「カーソル調整モード」において、選択カーソル５１は、画素選択部５２の外周に、画素選択部５２の外形状の一部を一回り大きくした形状を含む環状部５３をさらに備え、環状部５３は、常に画素選択部５２との相対位置を保ち、画素選択部５２とともに静止画像上を移動することから、選択カーソル５１は、画素選択部５２より一回り大きい環状部５３を有した特徴的な形態となり、画像上により大きくはっきりと表示される。
さらに画像信号処理部１６は、選択カーソル５１が選択している画像部位の色調と、白または黒のいずれかの色調との、コントラストが高い方の色調に選択カーソル５１の色調を調整することから、選択カーソル５１の色調は、視認し易い色調となる。
よって、はっきりと表示される選択カーソル５１により、所望の画像部位を選択し易い。
従って、プロジェクタ１００によれば、画像上にはっきりと表示される選択カーソルにより、所望の画像部位を容易に選択することができる。
【００８８】
（１６）「カーソル調整モード」において、選択カーソル５１による画像部位の選択操作において、画素選択部５２の位置は、画素選択部５２の全貌が静止画像からはみ出さないように画像信号処理部１６により制御され、画素選択部５２が静止画像の縁に達した場合、選択カーソル５１は、静止画像からはみ出した環状部５３の一部の画像が欠けた状態で表示されることから、選択カーソル５１により、画像の縁の画像部位までの画像を選択することが可能であり、また、画像の縁を選択した場合であっても、選択カーソル５１を視認することができる。
従って、プロジェクタ１００は、選択カーソルにより、全ての有効画像領域における所望の画像部位を選択することができる。
【００８９】
（１７）「カーソル調整モード」において、画像信号処理部１６は、画像調整を行う操作がなされると、画像を静止させるとともに、画像上の所望の画像部位を選択するための選択カーソル５１を表示部に表示させる。よって、画像が動画であると、画像が変化するため画像部位を選択することが困難であるが、画像を静止させることにより、選択がし易い。さらに静止画像の中から、所望の画像部位を選択カーソル５１により選択することができる。
さらに画像信号処理部１６は、選択カーソル５１により静止画像の中から画像部位が選択されると、静止画像における選択された画像部位、および選択された画像部位と略同一の階調を有する画像部位とを、明滅させることから、略同一の階調部位を含む選択された画像部位は、明滅によって、他の画像部位と区分けして表示される。よって、選択された画像部位を明確に視認することができる。また、これにより、予期しない部分が選択されている場合であっても、一目で識別できる。
従って、プロジェクタ１００は、表示画像の中から所望の画像調整部位を選択可能で、選択された画像部位を明確に視認させることができる。
【００９０】
（１８）「カーソル調整モード」において、選択カーソル５１により選択された画像部位、および画像部位と略同一の階調を有する画像部位との明滅は、静止画像を表す画像信号の階調特性における入力階調レベルに対応した複数の調整ポイントのうち、選択された画像部位の階調値に最も近い入力階調レベルの調整ポイントでの出力階調値を、周期的に増減させることにより行われることから、１つの調整ポイントでの出力階調値を増減させるという簡便な方法により、選択された画像部位、および略同一の階調部位を明滅させることができる。
よって、プロジェクタ１００によれば、簡便な方法によって、選択された画像部位および一緒に選択される画像部位とを、視認および識別することができる。
【００９１】
（１９）画像信号処理部１６は、表示部に固有の階調特性を人間の視覚特性に適したものとするためにあらかじめ定められた複数の基本階調特性のうち、いずれか１つの基本階調特性に補正するためのガンマ補正部２２と、基本階調特性における入力レベルに応じて設けられた複数の調整ポイントごとの出力階調値を調整する階調ポイント調整部２１と、を備え、それぞれが１次元のＬＵＴであることから、それぞれが専用の機能を持つシンプルな構成となっている。よって、それぞれのＬＵＴに設定する補正データも、複合化された大容量のデータではなく、シンプルなデータ構成とすることができる。
さらに選択カーソル５１により選択された画像部位、および画像部位と略同一の階調を有する画像部位との明滅は、階調ポイント調整部２１により行われることから、基本階調特性に影響を与えることなく、画像部位を明滅させることができる。
従って、プロジェクタ１００は、簡便な構成により、選択された画像部位および一緒に選択される画像部位とを、視認および識別することができる。
【００９２】
（２０）「カーソル調整モード」において選択カーソル５１により選択された画像部位に対応する調整ポイント、または「グラフ調整モード」において選択された調整ポイントにおける画像部位を明滅させるための出力階調値の増減量は、階調特性における出力階調値のフルスケールに対して±１０％以下の増減量であることから、程よいコントラストにより、観察者の眼を疲労させることなく、画像部位を視認させることができる。また、表示部の応答性も十分に追従することができる。
また、当該画像部位の明滅周期は、０．５〜３Hz以下であることから、ちらつきによる不快感を与えずに、当該画像部位を明確に視認させることができる。
従って、プロジェクタ１００によれば、選択された画像部位を、不快感を与えることなくはっきりと視認させることができる。
【００９３】
（２１）「カーソル調整モード」において選択カーソル５１により選択された画像部位、または「グラフ調整モード」において選択された調整ポイントに対応する画像部位の明滅周期と、特性確認画面のドット表示部の点滅周期は、同期している。
よって、選択された画像部位と、特性確認画面における対応する調整ポイントのドット表示部とが、同一の選択部位を示していることを視認させることができる。また、周期を同期させることにより、視覚的な不快感を与えない。
従って、本発明に係る画像表示装置によれば、選択された画像部位と、ドット表示部とが対応していることを視覚的に知らしめることができる。
【００９４】
（実施形態２）
《第２の画像調整処理の流れ−１：分岐画面まで》
図１４は、分岐画面までの画像調整の流れを示したフローチャートである。図１５（ａ）は、選択画面の一態様を示す図、図１５（ｂ）は、分岐画面の一態様を示す図である。
ここでは、実施形態１のプロジェクタ１００による画像調整の第２の態様における分岐画面までの処理の流れについて、図１４を中心に、適宜図１５（ａ），（ｂ）、図２を用いて説明する。なお、実施形態１と同様の部分については同一の記号を用い、重複する説明は省略する。
実施形態２の画像調整においては、処理の流れや、操作画面の機能などが実施形態１の画像調整処理と異なる。このため、実施形態２における画像調整の順序および内容を規定する「階調調整プログラム」は、実施形態１の当該プログラムとは異なる態様のものであり、これに伴い、ＯＳＤメモリ１８における一部の操作画面も、実施形態１の操作画面と異なった態様の画面が記憶されている。また、「カスタム」特性における基本γ特性は、操作部１の操作によりあらかじめγ値２．４が設定されている。
プロジェクタ１００は、図１に示されるような環境に設置され、操作部１により操作される。
【００９５】
ステップＳ５１では、制御部１０は、操作受付け部１１からの操作信号により「ガンマ」調整を行う操作が有ったか確認する。「ガンマ」調整を行う操作が有った場合には、ステップＳ５２へ進む。操作がなかった場合は、引き続き操作を待ち受ける。この操作により、記憶部１４の「階調調整プログラム」が起動し、当該プログラムに規定された階調調整の順序および内容に沿って以下の処理が行われる。
ステップＳ５２では、制御部１０は、画像信号処理部１６により図１５（ａ）に示される選択画面Ｇ１０を画像信号に重畳させる。
選択画面Ｇ１０は、図７（ａ）の選択画面Ｇ１と同様のものである。選択画面Ｇ１０では、「カスタム」特性が選択された状態を表しているが、選択画面Ｇ１のグラフと比較して、グラフが曲線を帯びている。これは、「カスタム」特性における基本γ特性として、γ値２．４が設定されているため、γ値２．２を基準直線特性とするグラフの目盛り上で、γ値２．４を表しているからである。
【００９６】
ステップＳ５３では、制御部１０は、操作受付け部１１からの操作信号により選択画面Ｇ１０の階調特性の選択肢から、いずれかの特性を選択する操作が有ったか確認する。選択操作が有った場合には、ステップＳ５４へ進む。選択操作がなかった場合は、引き続き操作を待ち受ける。
ステップＳ５４では、制御部１０は、画像信号処理部１６により選択画面Ｇ１０を、選択された内容に応じて更新する。選択画面Ｇ１０の更新内容は、画面左側の選択された階調特性を示す表示（例えば、「２．３」など）を選択表示とすることである。この段階では、背景の画像の階調調整は行われない。
【００９７】
ステップＳ５５では、制御部１０は、操作受付け部１１からの操作信号により選択された階調特性を決定する操作が有ったか確認する。決定操作が有った場合には、ステップＳ５６へ進む。決定操作がなかった場合は、ステップＳ５３へ戻り、決定操作がなされるまで、選択操作を受付ける。
ステップＳ５６では、制御部１０は、決定された階調特性が「カスタム」特性であるか確認する。「カスタム」特性であった場合には、ステップＳ５８へ進む。「カスタム」特性ではなかった場合には、ステップＳ５７へ進む。
ステップＳ５７では、制御部１０は、選択された階調特性のγ補正データを、ガンマ補正部２２のＬＵＴに設定し、当該階調特性による画像を投写する。さらにステップＳ５３へ戻り、再度、階調特性を選択する操作を待ち受ける。この段階で、選択画面Ｇ１０の背面の投写画像は、選択された階調特性により画像調整された画像となり、選択画面Ｇ１０には、選択された階調特性がグラフ表示される。なお、調整を終了させるためには、選択画面Ｇ１０の下部の表示に従い、操作部１、またはリモコン２の「Menuボタン」を押せば良い。
【００９８】
続いて、ステップＳ５６で、「カスタム」特性であった場合について説明する。
ステップＳ５８では、制御部１０は、画像信号処理部１６により図１５（ｂ）に示される分岐画面Ｇ１１を画像信号に重畳させる。分岐画面Ｇ１１は、図７（ｂ）の分岐画面Ｇ２と同様のものである。分岐画面Ｇ１１では、グラフ調整モードが選択されている。
ステップＳ５９では、制御部１０は、操作受付け部１１からの操作信号により「カーソル調整モード」を選択決定する操作が有ったか確認する。選択決定操作が有った場合、「カーソル調整モード」のサブルーチンへ進む。選択決定操作がなかった場合、ステップＳ６０へ進む。
ステップＳ６０では、制御部１０は、操作受付け部１１からの操作信号により「グラフ調整モード」を選択決定する操作が有ったか確認する。決定操作が有った場合、「グラフ調整モード」のサブルーチンへ進む。決定操作がなかった場合、ステップＳ５８へ戻り、選択および決定操作を待ち受ける。
【００９９】
《第２の画像調整処理の流れ−２：カーソル調整モード》
図１６は、カーソル調整モードにおける画像調整の流れを示したフローチャートである。図１７（ａ），（ｂ）は、グラフ調整画面の一態様を示す図、図１７（ｃ）は、継続確認画面の一態様を示す図である。
ここでは、プロジェクタ１００の画像調整の第２の態様におけるカーソル調整モードの画像調整の流れについて、図１６を中心に、適宜図１７（ａ），（ｂ），（ｃ）、図２を用いて説明する。
【０１００】
ステップＳ７１では、制御部１０は、画像信号処理部１６により画像を静止させる。これは、動画のままだと、画像部位を選択し難いためである。
ステップＳ７２では、制御部１０は、画像信号処理部１６により「選択カーソル」を画像信号に重畳させる。この状態は、例えば、図１のスクリーンＳＣにおける画像上の選択カーソル５１のような態様である。
ステップＳ７３では、制御部１０は、操作受付け部１１からの操作信号により「選択カーソル」によって選択された画像部位を決定する操作が有ったか確認する。決定操作が有った場合、ステップＳ７４へ進む。選択決定操作がなかった場合は、決定操作を待ち受ける。
【０１０１】
ステップＳ７４では、制御部１０は、画像信号処理部１６により、選択された画像部位を明滅させるとともに、図１７（ａ）のグラフ調整画面Ｇ１２を画像信号に重畳させる。
この処理においては、まず、制御部１０は、「選択カーソル」によって選択された画像部位におけるＲＧＢ各色ごとの画像データをフレームメモリ１７から読み出し、各画素の画像データから輝度信号データ（Ｙ信号データ）を求める。次に、各画素のＹ信号データの最大と最小の階調値を除いたＹ信号データの平均値を求める。そして、求められたＹ信号データに一番近い調整ポイントを調整すべき調整ポイントとして選択する。
また、選択された画像部位の明滅は、階調ポイント調整部２１（ＬＵＴ）の「階調補正データ」における選択されている調整ポイントの出力階調値を、初期出力階調値プラス３２カウント、マイナス３２カウントで、１Ｈｚ周期ごとに切替えることにより行われる。
また、グラフ調整画面Ｇ１２は、調整ポイント「階調３」が選択されている状態を示しており、調整ポイント「階調３」のドット表示部Ｄ３の色調が、他の表示ドット部の色調（白）と異なる色調、例えば、オレンジ色となっている。なお、ドット表示部の表示方法は、例えば、ドット表示部を画像部位の明滅と同期させて点滅させることであっても良い。
【０１０２】
グラフ調整画面Ｇ１２には、「オレンジ色の部分が、調整対象です。階調を調整して下さい。」という調整を促す文字が表示され、さらに選択された画像部位に対応する調整ポイントの調整状況を確認するためのインジケータ５５が設けられている。インジケータ５５は、選択された調整ポイントのドット表示部が調整によって上下するのに伴い、その調整状況を拡大して表示する。
なお、画像上に表示されるグラフ調整画面Ｇ１２の位置および大きさは、図１１の特性確認画面Ｇ３と同様であり、選択カーソル５１により選択された画像部位と重ならないように画像信号処理部１６により制御されている。
【０１０３】
ステップＳ７５では、制御部１０は、操作受付け部１１からの操作信号により、出力階調値を調整する操作が有ったか確認する。調整操作が有った場合、ステップＳ７６へ進む。調整操作がなかった場合、調整操作を待ち受ける。
ステップＳ７６では、制御部１０は、画像信号処理部１６により、画像部位の明滅を停止させるとともに、調整された「階調補正データ」を、逐次、階調ポイント調整部２１のＬＵＴに設定し、当該階調特性による画像を投写する。さらにグラフ調整画面は更新され、図１７（ｂ）のグラフ調整画面Ｇ１３に示されるように、調整内容を反映したグラフ表示となり「調整結果を確認して下さい。」という文字が表示される。この段階で、グラフ調整画面Ｇ１３の背面の投写画像は、調整内容に応じた階調特性によりリアルタイムに画像調整された画像となっている。
【０１０４】
ステップＳ７７では、制御部１０は、操作受付け部１１からの操作信号により、調整内容を決定する操作が有ったか確認する。決定操作が有った場合、ステップＳ７８へ進む。決定操作がなかった場合、ステップＳ７５へ戻り、決定操作があるまで調整操作を受付ける。
なお、決定操作が有った場合、ここまでに調整された内容は、「カスタム」特性の「階調補正データ」として記憶部１４に記憶される。
【０１０５】
ステップＳ７８では、制御部１０は、画像信号処理部１６により、図１７（ｃ）の継続確認画面Ｇ１４を画像信号に重畳させる。継続確認画面Ｇ１４には、カーソル調整モードによる調整を継続するか否か確認するための確認表示が表されている。
ステップＳ７９では、制御部１０は、操作受付け部１１からの操作信号により、調整を継続する操作が有ったか確認する。継続操作が有った場合、ステップＳ７２へ戻り、ここまでに調整した「階調補正データ」をベースデータとして、さらにカーソル調整モードによる調整を継続する。継続操作がなかった場合、継続確認画面Ｇ１４を閉じてカーソル調整モードによる調整を終了する。
【０１０６】
《第２の画像調整処理の流れ−３：グラフ調整モード》
図１８は、グラフ調整モードにおける画像調整の流れを示したフローチャートである。図１９（ａ），（ｂ）は、グラフ調整画面の一態様を示す図である。
ここでは、プロジェクタ１００の画像調整の第２の態様におけるグラフ調整モードの画像調整の流れについて、図１８を中心に、適宜図１９（ａ），（ｂ）、図２を用いて説明する。
【０１０７】
ステップＳ８１では、制御部１０は、画像信号処理部１６により画像を静止させる。これは、動画のままだと、画像部位を選択し難いためである。
ステップＳ８２では、制御部１０は、画像信号処理部１６により図１９（ａ）のグラフ調整画面Ｇ１５を画像信号に重畳させる。グラフ調整画面Ｇ１５は、調整ポイント「階調１」が選択された状態で表示され、調整ポイント「階調１」に対応する画像部位が１Ｈｚ周期で明滅している。また、調整ポイント「階調１」のドット表示部Ｄ１の色調が、他の表示ドット部の色調（白）と異なる色調、例えば、オレンジ色となっている。
グラフ調整画面Ｇ１５には、操作説明文章が表示され、さらに選択された調整ポイントの調整状況を確認するためのインジケータ５５が設けられている。
ステップＳ８３では、制御部１０は、操作受付け部１１からの操作信号により、調整ポイントを選択する操作が有ったか確認する。選択操作が有った場合、ステップＳ８４へ進む。選択操作がなかった場合、選択操作を待ち受ける。
【０１０８】
ステップＳ８４では、制御部１０は、画像信号処理部１６により、選択された調整ポイントに対応する画像部位を１Ｈｚ周期で明滅させる。また、グラフ調整画面における選択された調整ポイントのドット表示部の色調をオレンジ色に変更する。なお、画像部位の明滅は、階調ポイント調整部２１（ＬＵＴ）の「階調補正データ」における選択されている調整ポイントの出力階調値を、初期出力階調値プラス３２カウント、マイナス３２カウントで、１Ｈｚ周期ごとに切替えることにより行われる。
ステップＳ８５では、制御部１０は、操作受付け部１１からの操作信号により、出力階調値を調整する操作が有ったか確認する。調整操作が有った場合、ステップＳ８６へ進む。調整操作がなかった場合、調整操作を待ち受ける。
ステップＳ８６では、制御部１０は、画像信号処理部１６により、画像部位の明滅を停止させるとともに、調整された「階調補正データ」を、逐次、階調ポイント調整部２１のＬＵＴに設定し、当該階調特性による画像を投写する。さらにグラフ調整画面は更新され、調整内容を反映したグラフ表示となる。この段階で、グラフ調整画面の背面の投写画像は、調整内容に応じた階調特性によりリアルタイムに画像調整された画像となっている。
【０１０９】
ステップＳ８７では、制御部１０は、操作受付け部１１からの操作信号により、調整内容を決定する操作が有ったか確認する。決定操作が有った場合、グラフ調整画面Ｇ１６を閉じ、調整を終了する。決定操作がなかった場合は、ステップＳ８３へ戻り、決定操作がなされるまで、選択および調整操作を受付ける。
図１９（ｂ）のグラフ調整画面Ｇ１６は、複数回の選択および調整操作が行われた状態を示している。複数回の調整により、調整ポイント「階調２〜７」の出力階調値が調整されたため、グラフ調整画面Ｇ１５のベースとなった階調特性とは異なるカスタマイズされた階調特性となっている。
【０１１０】
上述した通り、本実施形態によれば実施形態１の効果に加えて以下の効果が得られる。
（１）カスタム特性が選択された場合、「カーソル調整モード」または、「グラフ調整モード」いずれの調整モードであっても、カスタム特性の初期設定の階調特性を示すグラフを含んだ画像より小さなグラフ調整画面が表示され、グラフ調整画面は、入力階調レベルに応じて設けられた複数の調整ポイントごとの出力階調レベルを示すとともに階調特性を調整するための複数のドット表示部を有することから、グラフ調整画面によりカスタム特性の初期設定の階調特性を確認しながら、階調特性自体の調整を行うことができる。
従って、プロジェクタ１００は、階調特性をグラフにより確認しながら、使用者の嗜好に応じた画質調整を行うことができる。
【０１１１】
（２）画像信号処理部１６は、選択された調整ポイントに対応する画像部位を１Ｈｚ周期で明滅させ、グラフ調整画面における選択された調整ポイントのドット表示部の色調をオレンジ色に変更することから、明滅している画像部位が階調特性におけるオレンジ色の階調ポイントに対応していることを視認させることができる。
従って、プロジェクタ１００は、選択された画像部位と、ドット表示部とが対応していることを視覚的に知らしめることができる。
【０１１２】
（３）画像信号処理部１６は、グラフ調整画面における階調レベルの調整操作に応じて、静止画像における調整ポイントに対応する画像部位の階調値を調整操作されている出力階調レベルに応じて逐次調整することから、調整を行っている段階において、調整内容を盛り込んだ画像をリアルタイムで確認することができる。
さらにグラフ調整画面のグラフおよびインジケータ５５により、階調特性の調整状況をリアルタイムに確認することができる。
従って、プロジェクタ１００は、調整を行っている段階において、階調特性の調整状況および調整内容を盛り込んだ画像をリアルタイムで確認することができる。
【０１１３】
（４）「グラフ調整モード」において表示される操作画面は、グラフ調整画面のみであり、１種類の操作画面により、全ての調整操作を完結できるため、操作効率が良い。
また、１つの調整ポイントの調整が終わった後、決定操作や、継続確認などを必要とせずに、引き続き他の調整ポイントの調整を行うことができるため、調整効率が良い。さらに、調整している階調特性をグラフおよび画像によりリアルタイムに視認できるため、調整状況の把握がし易い。
従って、プロジェクタ１００は、使い勝手が良く、使用者の嗜好に応じた画質調整を行うことができる。
【０１１４】
なお、本発明は上述した実施形態に限定されず、上述した実施形態に種々の変更や改良などを加えることが可能である。変形例を以下に述べる。
【０１１５】
（変形例１）
図２を用いて説明する。前記各実施形態において、カーソル選択モードにおける画像部位の選択や、出力階調値の調整は、操作部１または、リモコン２の「上下ボタン」や「左右ボタン」より行われていたが、これに限定するものではない。例えば、リモコン２にポインティングデバイスとしてトラックボールを設置し、記憶部１４にはトラックボールに対応したデバイスドライバを記憶させ、トラックボールの操作により、画像部位の選択や、出力階調値の調整操作を行うことであっても良い。
この構成によれば、プロジェクタ１００は、効率的に調整操作を行うことができる。
【０１１６】
（変形例２）
図２を用いて説明する。前記各実施形態および変形例において、「階調ポイント調整」および「γ補正」は、ＹＵＶ信号のＹ信号を用いて行われるものとして説明したが、これに限定するのものではない。
例えば、記憶部１４に、ＲＧＢ信号の各画素データから、対応する色信号ごとの輝度データを引き当てるための輝度テーブルを設け、ＲＧＢ信号それぞれの輝度データを用いて、「階調ポイント調整」および「γ補正」を行うことであっても良い。
この構成であっても、前記各実施形態および変形例と同様の作用効果を得ることができる。
【０１１７】
（変形例３）
図２を用いて説明する。前記各実施形態および変形例において、プロジェクタ１００は、光変調素子として３枚の液晶ライトバルブ５Ｒ，５Ｇ，５Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。また、このような光変調素子と、スクリーンとを備えたプロジェクタであるリアプロジェクタにも好適である。
これらの構成であっても、前記各実施形態および変形例と同様の作用効果を得ることができる。
【０１１８】
（変形例４）
図２を用いて説明する。前記各実施形態および変形例において、画像表示装置はプロジェクタであるものとして説明したが、プロジェクタに限定するものではない。画像表示装置は、入力される画像信号により表される画像を、表示部に表示する画像表示装置であれば良い。
例えば、ＣＲＴディスプレイ、液晶ディスプレイ、プラズマディスプレイ、有機ＥＬディスプレイ、電界放出ディスプレイ（Field Emission Display）などにも適応することが可能であり、前記各実施形態および変形例と同様の作用効果を得ることができる。
【符号の説明】
【０１１９】
１…操作部、２…操作部としてのリモコン、３…光源部としてのランプ、５Ｒ，５Ｇ，５Ｂ…表示部としての液晶ライトバルブ、７…投写レンズ、１０…制御部、１４…記憶部、１６…画像信号処理部、１８…ＯＳＤメモリ、１９…スケーラ部、２０…ＯＳＤ部、２１…階調ポイント調整部、２２…ガンマ調整部、２３…ＣＰＵ部、５１…選択カーソル、５２…画素選択部、５３…環状部、１００…画像表示装置としてのプロジェクタ、２００…画像信号供給装置、階調１〜階調９…調整ポイント、Ｄ１〜Ｄ９…ドット表示部、Ｇ１，Ｇ１０…選択画面、Ｇ２，Ｇ１１…分岐画面、Ｇ３，Ｇ５，Ｇ７，Ｇ９…特性確認画面、Ｇ４，Ｇ８…階調調整画面、Ｇ６，Ｇ１４…継続確認画面、Ｇ１２，Ｇ１３，Ｇ１５，Ｇ１６…グラフ調整画面、Vin，Din，Dcs，Vout…画像信号、ＳＣ…スクリーン。
【図２】
2010204673.tif 000003
【図３】
2010204673.tif 000004
【図４】
2010204673.tif 000005
【図５】
2010204673.tif 000006
【図６】
2010204673.tif 000007
【図８】
2010204673.tif 000008
【図１２】
2010204673.tif 000009
【図１４】
2010204673.tif 000010
【図１６】
2010204673.tif 000011
【図１８】
2010204673.tif 000012
【図１】
2010204673.tif 000013
【図７】
2010204673.tif 000014
【図９】
2010204673.tif 000015
【図１０】
2010204673.tif 000016
【図１１】
2010204673.tif 000017
【図１３】
2010204673.tif 000018
【図１５】
2010204673.tif 000019
【図１７】
2010204673.tif 000020
【図１９】
2010204673.tif 000021
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
画像を表示部に表示する画像表示装置であって、
前記画像における階調特性の調整に用いられる特性をカスタマイズ可能なカスタム特性を含む、複数の階調特性データを記憶する記憶部と、
前記複数の階調特性のいずれかを選択するための選択画面を前記画像に重畳させるＯＳＤ部と、
少なくとも前記選択画面からいずれか１つの前記階調特性を選択する操作、および選択内容を決定する操作がなされる操作部と、
前記階調特性の調整を含む画像処理を前記画像に施す画像処理部と、を備え、
前記ＯＳＤ部は、前記操作部に、前記選択画面の前記カスタム特性を選択し、選択内容を決定する操作がなされると、
入力階調レベルに応じて設けられた複数の調整ポイントごとの出力階調レベルを示し、かつ、前記階調特性を調整するための複数のドット表示部を有するグラフ調整画面を、前記画像に重畳させることを特徴とする画像表示装置。
【請求項２】
請求項１に記載の画像表示装置であって、
前記調整ポイントは、前記入力階調値についての中間階調において前記ガンマカーブ上で隣り合う第１組の２つの前記調整ポイント間の前記入力側階調値の差分が、前記入力階調値についての低階調側および高階調側において前記ガンマカーブ上で隣り合う第２組の２つの前記調整ポイント間の前記入力側階調値の差分に比べて小さくなるように、各調整ポイントが設定されていることを特徴とする画像表示装置。
【請求項３】
請求項１または２のいずれかに記載の画像表示装置であって、
前記調整ポイントは、予め設定された最小増減量を単位として、前記出力側階調値を増加または減少可能に設定され、
前記入力側階調値についての低階調側に存在する前記調整ポイントに設定された前記最小増減量が、前記入力側階調値についての高階調側に存在する前記調整ポイントに設定された前記最小増減量よりも大きくなるように、各調整ポイントに前記最小増減量が設定されていることを特徴とする画像表示装置。
【請求項４】
請求項１〜３のいずれか一項に記載の画像表示装置であって、
前記画像処理部は、前記操作部に前記選択画面の前記階調特性を選択する操作がなされると、前記画像の階調特性を前記選択された階調特性により調整し、前記調整が施された画像による画像を前記表示部に表示することを特徴とする画像表示装置。
【請求項５】
請求項１〜４のいずれか一項に記載の画像表示装置であって、
光を供給する光源部と、
前記光源部から射出される光を、前記画像にて規定される画像を表す変調光に変調する前記表示部としての光変調素子と、
前記変調光を拡大して投写する投写レンズとを、備えるプロジェクタであることを特徴とする画像表示装置。
【請求項６】
画像を表示する表示部と、前記画像における階調特性の調整に用いられる特性をカスタマイズ可能なカスタム特性を含む、複数の階調特性データを記憶する記憶部と、前記複数の階調特性のいずれかを選択するための選択画面を前記画像に重畳させるＯＳＤ部と、少なくとも前記選択画面からいずれか１つの前記階調特性を選択する操作、および選択内容を決定する操作がなされる操作部と、前記階調特性の調整を含む画像処理を前記画像に施す画像処理部と、を備えた画像表示装置による画像調整方法であって、
前記選択画面の前記カスタム特性を選択し、選択内容を決定する操作がなされたか否かを判定し、
選択内容が決定されたと判定された場合、入力階調レベルに応じて設けられた複数の調整ポイントごとの出力階調レベルを示し、かつ、前記階調特性を調整するための複数のドット表示部を有するグラフ調整画面を、前記画像に重畳させることを特徴とする画像表示装置の画像調整方法。